(57)【要約】  本発明は、ランドリーの悪臭を引き起こす物質、カビの悪臭を引き起こす物質、及び／又は汗の悪臭を引き起こす物質によって活性化される嗅覚受容体の活性を結合、抑制、遮断、阻害、及び／又は調節する化合物を同定する方法に関する。
2021504673.tif 000002
【特許請求の範囲】
【請求項１】
ランドリーの悪臭を引き起こす物質、カビの悪臭を引き起こす物質、及び／又は汗の悪臭を引き起こす物質により活性化される嗅覚受容体の活性を結合する、抑制する、遮断する、阻害する、及び／又は調節する化合物を同定するための方法であって、
ａ．  ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、ＯＲ８Ｇ１、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６及びＯｌｆｒ５５８、Ｏｌｆｒ１３２２、Ｏｌｆｒ９３、Ｏｌｆｒ３９８、Ｏｌｆｒ１２０、Ｏｌｆｒ１３６４、Ｏｌｆｒ９３７、Ｏｌｆｒ４６並びにそれらのキメラ又は機能的断片からなる群から選択される少なくとも１つの嗅覚受容体ポリペプチドに；又は少なくとも１つの前記嗅覚受容体ポリペプチドに対して少なくとも７０％のアミノ酸配列の同一性を有する少なくとも１つの嗅覚受容体ポリペプチドに、試験物質並びに前記ランドリーの悪臭及び／又は汗の悪臭を引き起こす物質を接触させること；並びに
ｂ．  試験物質の存在及び非存在下で前記嗅覚受容体の応答を測定することにより、悪臭を引き起こす物質に対する前記少なくとも１つの嗅覚受容体の応答を測定すること
を含む、前記方法。
【請求項２】
さらに、
ｃ．  試験物質の存在及び非存在下で測定された応答に基づいて、前記少なくとも１つの嗅覚受容体の応答を調節する試験物質を同定すること、並びに
ｄ．  悪臭を引き起こす物質に対する前記少なくとも１つの嗅覚受容体の応答を調節する化合物として同定された試験物質を選択すること
を含む、請求項１に記載の方法。
【請求項３】
前記悪臭を引き起こす物質が、ゲオノール、ジメチルトリスルフィド（ＤＭＴＳ）、１−オクテン−３−オール、酪酸、３−メチル−２−ヘキセン酸、３−ヒドロキシ−３−メチル−ヘキサン酸、３−メチル−３−スルファニルヘキサノール（トランスピロール）、及び前記物質の少なくとも２つの混合物からなる群から選択される、請求項１又は２に記載の方法。
【請求項４】
前記少なくとも１つの嗅覚受容体ポリペプチドが、
ａ．  配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して、少なくとも７０％の配列同一性を有するアミノ酸配列を含み；及び／又は
ｂ．  配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４、又はそれらの逆相補体に対して、少なくとも７０％の配列同一性を有するヌクレオチド配列を含む核酸分子によりコードされる、
請求項１から３までのいずれか１項に記載の方法。
【請求項５】
前記ポリペプチドが、
ａ．  配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して、少なくとも９０％、９５％、９８％、９９％又は１００％の配列同一性を有するアミノ酸配列を含み；及び／又は
ｂ．  配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４、又はそれらの逆相補体に対して、少なくとも９０％、９５％、９８％、９９％又は１００％の配列同一性を有するヌクレオチド配列を含む核酸分子によりコードされる、
請求項４に記載の方法。
【請求項６】
前記悪臭を引き起こす物質が、ゲオノール、ＤＭＴＳ、１−オクテン−３−オール及び前記物質の少なくとも２つの混合物からなる群から選択されるランドリーの悪臭を引き起こす物質である、請求項１から５までのいずれか１項に記載の方法。
【請求項７】
前記悪臭を引き起こす物質が、ゲオノール、ＤＭＴＳ、１−オクテン−３−オール及び前記物質の少なくとも２つの混合物からなる群から選択されるカビの悪臭を引き起こす物質である、請求項１から５までのいずれか１項に記載の方法。
【請求項８】
前記悪臭を引き起こす物質が、酪酸、３−メチル−２−ヘキセン酸、３−ヒドロキシ−３−メチル−ヘキサン酸、トランスピロール、及び前記物質の少なくとも２つの混合物からなる群から選択される汗の悪臭を引き起こす物質である、請求項１から５までのいずれか１項に記載の方法。
【請求項９】
前記嗅覚受容体ポリペプチドが、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ４Ｓ２、Ｏｌｆｒ２６３、Ｏｌｆｒ４０３、Ｏｌｆｒ７３５、Ｏｌｆｒ１１９３、Ｏｌｆｒ１３７、Ｏｌｆｒ１７３、Ｏｌｆｒ１６４、Ｏｌｆｒ１４８７、Ｏｌｆｒ３３９、Ｏｌｆｒ９６、Ｏｌｆｒ１３２２、Ｏｌｆｒ９３、Ｏｌｆｒ３９８、Ｏｌｆｒ１２０、Ｏｌｆｒ１３６４及びＯｌｆｒ９３７；それらのキメラ及び機能的断片；並びに少なくとも１つの前記嗅覚受容体ポリペプチドに対して少なくとも７０％のアミノ酸配列同一性を有する嗅覚受容体ポリペプチドからなる群から選択される、請求項６又は７に記載の方法。
【請求項１０】
前記悪臭を引き起こす物質がゲオノールを含み、かつ前記嗅覚受容体が、ＯＲ１Ａ１、ＯＲ１１Ａ１、ＯＲ２Ｍ３、Ｏｌｆｒ４０３、Ｏｌｆｒ１６４、Ｏｌｆｒ１４８７、Ｏｌｆｒ３３９、Ｏｌｆｒ９６及びＯｌｆｒ１３２２；それらのキメラ及び機能的断片；並びに少なくとも１つの前記嗅覚受容体ポリペプチドに対して少なくとも７０％のアミノ酸配列同一性を有する嗅覚受容体ポリペプチドからなる群から選択される、請求項９に記載の方法。
【請求項１１】
前記悪臭を引き起こす物質が１−オクテン−３−オールを含み、かつ前記嗅覚受容体が、ＯＲ２Ｗ１、ＯＲ１Ａ１、ＯＲ２Ｊ３、ＯＲ４Ｑ３、ＯＲ５Ｋ１、ＯＲ２Ｈ１、ＯＲ２Ｗ３、ＯＲ８Ｇ１、Ｏｌｆｒ２６３、Ｏｌｆｒ１３７、Ｏｌｆｒ７３５、Ｏｌｆｒ１７３、Ｏｌｆｒ９３、Ｏｌｆｒ３９８、Ｏｌｆｒ１２０、Ｏｌｆｒ１３６４、Ｏｌｆｒ９３７；それらのキメラ及び機能的断片；並びに少なくとも１つの前記嗅覚受容体ポリペプチドに対して少なくとも７０％のアミノ酸配列同一性を有する嗅覚受容体ポリペプチドからなる群から選択される、請求項９に記載の方法。
【請求項１２】
前記悪臭を引き起こす物質がＤＭＴＳを含み、かつ前記嗅覚受容体が、ＯＲ２Ｗ１、ＯＲ１Ａ１、ＯＲ５Ｋ１、ＯＲ４Ｓ２、Ｏｌｆｒ２６３、Ｏｌｆｒ１１９３、Ｏｌｆｒ１７３及びＯｌｆｒ４０３；それらのキメラ及び機能的断片；並びに少なくとも１つの前記嗅覚受容体ポリペプチドに対して少なくとも７０％のアミノ酸配列同一性を有する嗅覚受容体ポリペプチドからなる群から選択される、請求項９に記載の方法。
【請求項１３】
前記嗅覚受容体ポリペプチドが、ＯＲ２Ｗ１、ＯＲ１Ａ１、ＯＲ２Ｊ３、ＯＲ５Ｋ１、ＯＲ５１Ｅ１、ＯＲ５１Ｉ２、Ｏｌｆｒ２６３、Ｏｌｆｒ４０３、Ｏｌｆｒ６４１、Ｏｌｆｒ１３７、Ｏｌｆｒ１７３、Ｏｌｆｒ１１２６、Ｏｌｆｒ５５８及びＯｌｆｒ４６；それらのキメラ及び機能的断片；並びに少なくとも１つの前記嗅覚受容体ポリペプチドに対して少なくとも７０％のアミノ酸配列同一性を有する嗅覚受容体ポリペプチドからなる群から選択される、請求項８に記載の方法。
【請求項１４】
前記悪臭を引き起こす物質が酪酸を含み、かつ前記嗅覚受容体が、ＯＲ５１Ｅ１及びＯｌｆｒ５５８；それらのキメラ及び機能的断片；並びに少なくとも１つの前記嗅覚受容体ポリペプチドに対して少なくとも７０％のアミノ酸配列同一性を有する嗅覚受容体ポリペプチドからなる群から選択される、請求項１３に記載の方法。
【請求項１５】
前記悪臭を引き起こす物質が３−メチル−２−ヘキセン酸を含み、かつ前記嗅覚受容体が、ＯＲ５１Ｉ２、Ｏｌｆｒ６４１、ＯＲ２Ｗ１及びＯｌｆｒ２６３；それらのキメラ及び機能的断片；並びに少なくとも１つの前記嗅覚受容体ポリペプチドに対して少なくとも７０％のアミノ酸配列同一性を有する嗅覚受容体ポリペプチドからなる群から選択される、請求項１３に記載の方法。
【請求項１６】
前記悪臭を引き起こす物質が３−ヒドロキシ−３−メチル−ヘキサン酸を含み、かつ前記嗅覚受容体が、ＯＲ２Ｗ１、Ｏｌｆｒ１１２６及びＯｌｆｒ２６３；それらのキメラ及び機能的断片；並びに少なくとも１つの前記嗅覚受容体ポリペプチドに対して少なくとも７０％のアミノ酸配列同一性を有する嗅覚受容体ポリペプチドからなる群から選択される、請求項１３に記載の方法。
【請求項１７】
前記悪臭を引き起こす物質がトランスピロールを含み、かつ前記嗅覚受容体が、ＯＲ２Ｗ１、ＯＲ１Ａ１、ＯＲ２Ｊ３、ＯＲ５Ｋ１、Ｏｌｆｒ２６３、Ｏｌｆｒ１３７、Ｏｌｆｒ１７３、Ｏｌｆｒ４０３及びＯｌｆｒ４６；それらのキメラ及び機能的断片；並びに少なくとも１つの前記嗅覚受容体ポリペプチドに対して少なくとも７０％のアミノ酸配列同一性を有する嗅覚受容体ポリペプチドからなる群から選択される、請求項１３に記載の方法。
【発明の詳細な説明】
【技術分野】
【０００１】
関連出願の相互参照
本出願は、２０１７年１１月２２日に出願された米国仮特許出願番号第６２／５８９，９４７号（Ｕ．Ｓ． Ｐｒｏｖｉｓｉｏｎａｌ Ｐａｔｅｎｔ Ａｐｐｌｉｃａｔｉｏｎ Ｓｅｒｉａｌ Ｎｏ． ６２／５８９，９４７）、２０１８年２月２１日に出願された欧州特許出願番号第１８１５７７９０．９号（Ｅｕｒｏｐｅａｎ Ｐａｔｅｎｔ Ａｐｐｌｉｃａｔｉｏｎ Ｓｅｒｉａｌ Ｎｏ． １８１５７７９０．９）、及び２０１８年１１月２日に出願された米国仮特許出願番号第６２／７５４，８９９号（Ｕ．Ｓ． Ｐｒｏｖｉｓｉｏｎａｌ Ｐａｔｅｎｔ Ａｐｐｌｉｃａｔｉｏｎ Ｓｅｒｉａｌ Ｎｏ． ６２／７５４，８９９）に対して優先権を主張し、その全記載内容は参照をもってその全体を本明細書に組み込まれたものとする。
【０００２】
技術分野
技術分野は、匂い物質及び／又はアロマ化合物、並びにより詳述すればランドリーの悪臭、カビの悪臭及び／又は汗の悪臭、例えばジメチルトリスルフィド（ＤＭＴＳ）、ゲオノール（ｇｅｏｎｏｌ）、１−オクテン−３−オール、酪酸、３−メチル−２−ヘキセン酸、３−ヒドロキシ−３−メチル−ヘキサン酸及び３−メチル−３−スルファニルヘキサノール（トランスピロール）の悪臭化合物の阻害剤、調節剤又は中和剤を同定するために使用されてよい匂い物質及びアロマ受容体及びアッセイに関する。
【０００３】
背景技術
嗅覚は、人間の感覚系で最も複雑であり理解が不十分なものの１つである。嗅覚受容体（ＯＲ）の活性化から知覚まで、さらなる調査が必要である多くのステップがある。個々の匂い物質及び混合物についてのＯＲコードが知覚にどのように変換されるかを理解することができる場合に、この知識を活用していくつかの分野で大きな利益をもたしうる。これらの分野は、不快な匂いの知覚を遮断する匂い調節剤、例えば悪臭中和剤、非生分解性又は毒性の化合物に代わる新たなフレーバー及びフレグランス成分、及び天然源からの供給が困難な化合物への依存を制限する匂い増強剤を含む。「嗅覚コード」コンビナトリアルパラダイムは、任意の単一のＯＲが複数の匂い物質により活性化されてよく、逆にほとんどの匂い物質が複数のＯＲを活性化できるという観察に集中する。マウスゲノムにおいて、約１２００個の明確に完全なＯＲがある。対照的に、ヒトは約４００個を有する。双方の場合において、ＯＲのレパートリーは、世界中で何千もの匂い物質により活性化され、この組み合わせの複雑さが、知覚できる嗅覚の幅を可能する。しかしながら、８２個のマウスＯＲ（約８％）及び１７個のヒトＯＲ（約１０％）のみの匂い物質又はリガンドが、２０１４年の時点で従来の脱オーファン化法を使用して同定されている。さらに、本質的にｉｎ ｖｉｔｒｏで同定されたヒトＯＲについてのほとんどのリガンドの生理学的関連性は試験されていない。
【０００４】
１種以上の匂い物質により特異的に活性化又は阻害される生物に存在するＯＲの全レパートリー内で、比較的小さなＯＲのサブセットを迅速かつ確実に同定できる方法は、国際公開番号第２０１４／２１０５８５号（ＷＯ２０１４／２１０５８５）において記載されている。しかしながら、この方法を使用して、匂い物質受容体、及びより詳述すると特定の悪臭を引き起こす物質により活性化される悪臭受容体を同定する必要が残っている。
【０００５】
悪臭を引き起こす化合物、例えばジメチルトリスルフィド（ＤＭＴＳ）、ゲオノール、１−オクテン−３−オール、酪酸、３−メチル−２−ヘキセン酸、３−ヒドロキシ−３−メチル−ヘキサン酸及びトランスピロールは、例えば汗又は皮脂により引き起こされるランドリー又は体の匂い、又はカビの悪臭から発生する不快な匂いを生じうる。
【０００６】
したがって、本発明により解決される問題は、カビの悪臭、ランドリーの悪臭及び／又は汗の悪臭の調節剤又は中和剤を同定する方法であって、かかるタイプの悪臭に特徴付けられる特定の悪臭を引き起こす物質（ＭＣＳ）により活性化される１つ以上の嗅覚受容体の活性化を結合、抑制、遮断、阻害、及び／又は調節する、カビの悪臭、ランドリーの悪臭及び／又は汗の悪臭の調節剤又は中和剤を同定する方法の提供である。これらの受容体に結合する新たな化合物又は化合物混合物を同定するために、新たな悪臭受容体又は特定の悪臭を引き起こす物質に関連すると新たに同定された悪臭受容体に依存するアッセイがさらに所望される。
【０００７】
要約
前記問題は、驚くべきことに、ランドリーの悪臭、カビの悪臭又は汗の悪臭に特徴的であるＭＣＳのパネル、及びかかるＭＣＳにより活性化され、かつかかるＭＣＳによるこれらの嗅覚受容体の活性化に対抗する調節物質を同定するための標的として使用されてよい嗅覚受容体のパネルを同定することにより解決された。
【０００８】
ランドリーのＭＣＳとして、ゲオノール、ＤＭＴＳ及び１−オクテン−３−オールが同定されている。前記化合物の少なくとも１つによって活性化される嗅覚受容体ポリペプチドとして、ヒト受容体ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ４Ｓ２、マウスオルソログＯｌｆｒ２６３、Ｏｌｆｒ４０３、Ｏｌｆｒ１３７、Ｏｌｆｒ１７３、Ｏｌｆｒ１６４、Ｏｌｆｒ７３５、Ｏｌｆｒ１１９３、Ｏｌｆｒ９６、並びにマウス受容体Ｏｌｆｒ１４８７、Ｏｌｆｒ３３９、Ｏｌｆｒ９３、Ｏｌｆｒ３９８、Ｏｌｆｒ１２０、Ｏｌｆｒ１３６４及びＯｌｆｒ９３７が同定された。
【０００９】
汗のＭＣＳとして、酪酸、３−メチル−２−ヘキセン酸、３−ヒドロキシ−３−メチル−ヘキサン酸及びトランスピロールが同定されている。前記化合物の少なくとも１つによって活性化される嗅覚受容体ポリペプチドとして、ヒト受容体ＯＲ２Ｗ１、ＯＲ１Ａ１、ＯＲ２Ｊ３、ＯＲ５Ｋ１、ＯＲ５１Ｅ１、ＯＲ５１Ｉ２、マウスオルソログＯｌｆｒ２６３、Ｏｌｆｒ４０３、Ｏｌｆｒ５５８、Ｏｌｆｒ６４１、Ｏｌｆｒ１３７、Ｏｌｆｒ１６４、並びにマウス受容体Ｏｌｆｒ１１２６及びＯｌｆｒ４６が同定された。
【００１０】
カビのＭＣＳとして、ゲオノール、ＤＭＴＳ及び１−オクテン−３−オールが同定されている。前記化合物の少なくとも１つによって活性化される嗅覚受容体ポリペプチドとして、ヒト受容体ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ４Ｓ２、マウスオルソログＯｌｆｒ２６３、Ｏｌｆｒ４０３、Ｏｌｆｒ７３５、Ｏｌｆｒ１１９３、Ｏｌｆｒ９６、Ｏｌｆｒ１３７、Ｏｌｆｒ１７３、Ｏｌｆｒ１６４、並びにマウス受容体Ｏｌｆｒ１４８７、Ｏｌｆｒ３３９、Ｏｌｆｒ９３、Ｏｌｆｒ３９８、Ｏｌｆｒ１２０、Ｏｌｆｒ１３６４及びＯｌｆｒ９３７が同定された。
【００１１】
さらに、ランドリーの悪臭、カビの悪臭、及び／又は汗の悪臭を引き起こす物質によって活性化される嗅覚受容体の活性を化合物が結合、抑制、遮断、阻害、及び／又は調節するかどうかをアッセイする方法、特にかかる化合物を同定する方法が本発明によって提供される。
【００１２】
さらに、単離された嗅覚受容体ポリペプチド、対応するコード化核酸配列、かかるコード化配列を含む組換え核酸、及び対応する発現ベクターが提供される。
【００１３】
さらに、ランドリーの悪臭、カビの臭又は汗の悪臭についての特徴であるＭＣＳにより活性化されるかかる嗅覚受容体ポリペプチドを発現するように改変されている非ヒト宿主生物又は宿主細胞が提供される。
【００１４】
さらに、ＭＣＳにより活性化され、かつ悪臭調節化合物を同定するためのランドリーの悪臭、カビの悪臭又は汗の悪臭に特徴的であるかかる嗅覚受容体ポリペプチドの使用が提供される。
【図面の簡単な説明】
【００１５】
【図１】図１は、本明細書において提示したいくつかの態様に従ったあるＭＣＳ及び嗅覚受容体を示す。
【図２】図２は、非常に厳しいスクリーニング条件下での酪酸嗅覚受容体ＯＲ５１Ｅ１の阻害剤としてのアンタゴニスト１−［（１Ｓ，７Ｓ）−２，３，４−トリメチルトリシクロ［５．２．１．０〜１．５〜］デシ−４−イル）エタノンオキシムのポテンシー（potency）を示す。黒い線は、８１μＭの酪酸（ＥＣ87）及び示されている濃度［μＭ］でのアンタゴニストで処理した細胞から観察された酪酸嗅覚受容体活性の阻害（％）を示す。
【図３】図３は、本明細書において示されるいくつかの態様に従った化合物で処理した細胞から観察された非常に厳しいスクリーニング条件下での酪酸嗅覚受容体ＯＲ５１Ｅ１の阻害（％）の概要を示す。試験した化合物の構造を図の両側に示す。
【図４】図４は、本開示のいくつかの態様に従った化合物の、ヒト感覚パネル試験においてゲオノールの知覚強度を低下させる能力を示す。これらの化合物の多くは、ゲオノール嗅覚受容体の活性を阻害することを示す。ＮＳ、残りのゲオノールの知覚（％）が等強度の濃度でゲオノールのみと比較して統計的に違いはない；アスタリスク（*）、残りのゲオノールの知覚（％）が等強度の濃度でゲオノールのみと比較して統計的に異なる。
【図５】図５は、国際公開番号第２０１４／２１０５８５号及びさらにＭｅｔｈｏｄｓ ｏｆ Ｍｏｎｉｔｏｒｉｎｇ ＯＲ Ａｃｔｉｖｉｔｙの段落において開示されているアッセイ及び方法に従った、細胞ベースのアッセイでのゲオノール濃度に依存的及び特異的なＯＲ１１Ａ１、Ｏｌｆｒ９６、Ｏｌｆｒ３３９、Ｏｌｆｒ１４８７及びＯｌｆｒ１３２２の活性化を示す。検出方法は、ゲオノールによるＯＲ活性化の結果として、前記細胞におけるｃＡＭＰのＯＲ依存性蓄積に関係する。
【図６】図６は、国際公開番号第２０１４／２１０５８５号及びさらにＭｅｔｈｏｄｓ ｏｆ Ｍｏｎｉｔｏｒｉｎｇ ＯＲ  Ａｃｔｉｖｉｔｙの段落において開示されているアッセイ及び方法に従った、細胞ベースのアッセイでの１−オクテン−３−オール濃度に依存的及び特異的なＯｌｆｒ９３、Ｏｌｆｒ３９８、Ｏｌｆｒ１２０及びＯｌｆｒ１３６４の活性化を示す。検出方法は、１−オクテン−３−オールによるＯＲ活性化の結果として、前記細胞におけるｃＡＭＰのＯＲ依存性蓄積に関係する。
【図７】図７は、国際公開番号第２０１４／２１０５８５号及びさらにＭｅｔｈｏｄｓ ｏｆ Ｍｏｎｉｔｏｒｉｎｇ ＯＲ Ａｃｔｉｖｉｔｙの段落において開示されているアッセイ及び方法に従った、細胞ベースのアッセイでのトランスピロール濃度に依存的及び特異的なＯＲ２Ｗ１、Ｏｌｆｒ２６３及びＯｌｆｒ４６の活性化を示す。検出方法は、トランスピロールによるＯＲ活性化の結果として、前記細胞におけるｃＡＭＰのＯＲ依存性蓄積に関係する。
【図８】図８は、国際公開番号第２０１４／２１０５８５号及びさらにＭｅｔｈｏｄｓ ｏｆ Ｍｏｎｉｔｏｒｉｎｇ ＯＲ Ａｃｔｉｖｉｔｙの段落において開示されているアッセイ及び方法に従った、細胞ベースのアッセイでの３−メチル−２−ヘキセン酸の濃度に依存的及び特異的なＯＲ５１Ｉ２、Ｏｌｆｒ６４１、ＯＲ２Ｗ１及びＯｌｆｒ２６３の活性化を示す。検出方法は、３−メチル−２−ヘキセン酸によるＯＲ活性化の結果として、前記細胞におけるｃＡＭＰのＯＲ依存性蓄積に関係する。
【図９】図９は、国際公開番号第２０１４／２１０５８５号及びさらにＭｅｔｈｏｄｓ ｏｆ Ｍｏｎｉｔｏｒｉｎｇ ＯＲ Ａｃｔｉｖｉｔｙの段落において開示されているアッセイ及び方法に従った、細胞ベースのアッセイでの３−ヒドロキシ−３−メチル−ヘキサン酸の濃度に依存的及び特異的なＯｌｆｒ１１２６の活性化を示す。検出方法は、３−ヒドロキシ−３−メチル−ヘキサン酸によるＯＲ活性化の結果として、前記細胞におけるｃＡＭＰのＯＲ依存性蓄積に関係する。
【図１０】図１０は、国際公開番号第２０１４／２１０５８５号及びさらにＭｅｔｈｏｄｓ ｏｆ ＯＲ ａｃｔｉｖｉｔｙの部において記載されている方法に従った、ゲオノールに応答する単一のＯＳＮからのＮＧＳデータを示す。左のパネルは、ＯＲの相対的な転写量を示し、Ｏｌｆｒ９６が残りよりも著しく高い。右のパネルは、同一のＮＧＳ試料におけるＯＳＮについての主要マーカーのハウスキーピング遺伝子（ｏｍｐ、ａｃｔｂ、ｃｎｇａ２、ｒｔｐ１、ｇｎａｌ、ａｄｃｙ３）の存在及び相対量を示す。
【図１１】図１１は、国際公開番号第２０１４／２１０５８５号及びさらにＭｅｔｈｏｄｓ ｏｆ ＯＲ ａｃｔｉｖｉｔｙの部において記載されている方法に従った、１−オクテン−３−オールに応答する単一のＯＳＮからのＮＧＳデータを示す。左のパネルは、ＯＲの相対的な転写量を示し、Ｏｌｆｒ９３が残りよりも著しく高い。右のパネルは、同一のＮＧＳ試料におけるＯＳＮについての主要マーカーのハウスキーピング遺伝子（ｏｍｐ、ａｃｔｂ、ｃｎｇａ２、ｒｔｐ１、ｇｎａｌ、ａｄｃｙ３）の存在及び相対量を示す。
【図１２】図１２は、国際公開番号第２０１４／２１０５８５号及びさらにＭｅｔｈｏｄｓ ｏｆ ＯＲ ａｃｔｉｖｉｔｙの部において記載されている方法に従った、１−オクテン−３−オールに応答する単一のＯＳＮからのＮＧＳデータを示す。左のパネルは、ＯＲの相対的な転写量を示し、Ｏｌｆｒ１２０が残りよりも著しく高い。右のパネルは、同一のＮＧＳ試料におけるＯＳＮについての主要マーカーのハウスキーピング遺伝子（ｏｍｐ、ａｃｔｂ、ｃｎｇａ２、ｒｔｐ１、ｇｎａｌ、ａｄｃｙ３）の存在及び相対量を示す。
【図１３】図１３は、国際公開番号第２０１４／２１０５８５号及びさらにＭｅｔｈｏｄｓ ｏｆ ＯＲ ａｃｔｉｖｉｔｙの部において記載されている方法に従った、１−オクテン−３−オールに応答する単一のＯＳＮからのＮＧＳデータを示す。左のパネルは、ＯＲの相対的な転写量を示し、Ｏｌｆｒ１３６４が残りよりも著しく高い。右のパネルは、同一のＮＧＳ試料におけるＯＳＮについての主要マーカーのハウスキーピング遺伝子（ｏｍｐ、ａｃｔｂ、ｃｎｇａ２、ｒｔｐ１、ｇｎａｌ、ａｄｃｙ３）の存在及び相対量を示す。
【図１４】図１４は、国際公開番号第２０１４／２１０５８５号及びさらにＭｅｔｈｏｄｓ ｏｆ ＯＲ ａｃｔｉｖｉｔｙの部において記載されている方法に従った、１−オクテン−３−オールに応答する単一のＯＳＮからのＮＧＳデータを示す。左のパネルは、ＯＲの相対的な転写量を示し、Ｏｌｆｒ９３７が残りよりも著しく高い。右のパネルは、同一のＮＧＳ試料におけるＯＳＮについての主要マーカーのハウスキーピング遺伝子（ｏｍｐ、ａｃｔｂ、ｃｎｇａ２、ｒｔｐ１、ｇｎａｌ、ａｄｃｙ３）の存在及び相対量を示す。
【図１５】図１５は、国際公開番号第２０１４／２１０５８５号及びさらにＭｅｔｈｏｄｓ ｏｆ ＯＲ ａｃｔｉｖｉｔｙの部において記載されている方法に従った、トランスピロールに応答する単一のＯＳＮからのＮＧＳデータを示す。左のパネルは、ＯＲの相対的な転写量を示し、Ｏｌｆｒ２６３が残りよりも著しく高い。右のパネルは、同一のＮＧＳ試料におけるＯＳＮについての主要マーカーのハウスキーピング遺伝子の存在及び相対量を示す。
【図１６】図１６は、国際公開番号第２０１４／２１０５８５号及びさらにＭｅｔｈｏｄｓ ｏｆ ＯＲ ａｃｔｉｖｉｔｙの部において記載されている方法に従った、３−ヒドロキシ−３−メチル−ヘキサン酸に応答する単一のＯＳＮからのＮＧＳデータを示す。左のパネルは、ＯＲの相対的な転写量を示し、Ｏｌｆｒ１１２６が残りよりも著しく高い。右のパネルは、同一のＮＧＳ試料におけるＯＳＮについての主要マーカーのハウスキーピング遺伝子の存在及び相対量を示す。
【００１６】
発明の詳細な説明
定義
明細書及び付属の特許請求の範囲について、「又は」の使用は、特に明記されない限り「及び／又は」を意味する。
【００１７】
同様に、「含有する（ｃｏｍｐｒｉｓｅ）」、「含有する（ｃｏｍｐｒｉｓｅｓ）」、「含有している（ｃｏｍｐｒｉｓｉｎｇ）」、「含む（ｉｎｃｌｕｄｅ）」、「含む（ｉｎｃｌｕｄｅｓ）」及び「含んでいる（ｉｎｃｌｕｄｉｎｇ）」は、置き換えることができ、かつ制限することを意図しない。
【００１８】
さらに、種々の実施形態の記載が「含有している（ｃｏｍｐｒｉｓｉｎｇ）」という用語を使用する場合に、当業者は、ある特定の例において、一実施形態が「実質的にからなる（ｃｏｎｓｉｓｔｉｎｇ ｅｓｓｅｎｔｉａｌｌｙ ｏｆ）」又は「からなる（ｃｏｎｓｉｓｔｉｎｇ ｏｆ）」という言語を使用して代わりに記載されてよいことを理解していることを、理解すべきである。
【００１９】
以下の用語は、他に特定されない限りそれらに帰する意味を有する。
【００２０】
「ＯＲ」は、嗅覚細胞において発現されるＧタンパク質共役受容体（ＧＰＣＲ）のファミリーの１つ以上のメンバーをいう。嗅覚受容体細胞は、形態学に基づいて又は嗅覚細胞において特異的に発現するタンパク質の発現によっても同定されうる。ＯＲファミリーメンバーは、嗅覚シグナル伝達のための受容体として作用する能力を有していてよい。
【００２１】
「ＤＭＴＳ ＯＲ」は、嗅覚細胞において発現されるＧタンパク質共役受容体のファミリーのメンバーをいい、この受容体は、ＧＰＣＲを結合及び／又は活性化するリガンドを同定するための結合又は活性化アッセイにおいてＤＭＴＳにより結合及び／又は活性化される。かかるアッセイを以下に記載する。本明細書におけるＤＭＴＳ受容体は、断片、合成及び天然に存在するものを含むバリアント、並びにＤＭＴＳに応答又は結合するキメラ又は組換え核酸又はタンパク質を含む。同様の定義が次の受容体に類似して当てはまる：
「ゲオノールＯＲ」、「１−オクテン−３−オールＯＲ」、「酪酸ＯＲ」、「３−メチル−２−ヘキセン酸ＯＲ」、「３−ヒドロキシ−３−メチル−ヘキサン酸ＯＲ」及び「トランスピロールＯＲ」。
【００２２】
「ＯＲ」ポリペプチドは、単一の〜１ｋｂの長いエキソンによってコードされる７回膜貫通ドメインＧタンパク質共役受容体スーパーファミリーに関係し、かつ特徴的な嗅覚受容体に特異的なアミノ酸モチーフを呈する場合に、そのように見なされる。７つのドメインは、３つの「内部細胞ループ」又は「ＩＣ」ドメインであるＩＣ Ｉ〜ＩＣ ＩＩＩ及び３つの「外部細胞ループ」又は「ＥＣ」ドメインであるＥＣ Ｉ〜ＥＣ ＩＩＩによって接続された「膜貫通」ドメイン又は「ＴＭ」ドメインであるＴＭ Ｉ〜ＴＭ ＶＩＩと呼ばれる。モチーフ及びそのバリアントは、これらに制限されないが、ＴＭ ＩＩＩ及びＩＣ ＩＩと重複するＭＡＹＤＲＹＶＡＩＣモチーフ（配列番号５３）、ＩＣ ＩＩＩ及びＴＭ ＶＩと重複するＦＳＴＣＳＳＨモチーフ（配列番号５４）、ＴＭ ＶＩＩにおけるＰＭＬＮＰＦＩＹモチーフ（配列番号５５）、並びにＥＣ ＩＩにおける３つの保存Ｃ残基、及びＴＭ Ｉにおける高保存ＧＮ残基の存在として定義される［Ｚｈａｎｇ， Ｘ． & Ｆｉｒｅｓｔｅｉｎ， Ｓ． Ｎａｔ． Ｎｅｕｒｏｓｃｉ． ５， １２４−１３３ （２００２）； Ｍａｌｎｉｃ， Ｂ．ら， Ｐｒｏｃ． Ｎａｔｌ． Ａｃａｄ． Ｓｃｉ． Ｕ． Ｓ． Ａ． １０１， ２５８４−２５８９ （２００４）］。
【００２３】
「ＯＲ」核酸は、「Ｇタンパク質共役受容体活性」を有する７回膜貫通領域を有するＧＰＣＲファミリーをコードし、例えばそれらは、細胞外刺激に応答してＧタンパク質に結合し、かつ酵素、例えばホスホリパーゼＣ及びアデニル酸シクラーゼの刺激によりセカンドメッセンジャー、例えばＩＰ3、ｃＡＭＰ、ｃＧＭＰ、及びＣａ2+の産生を促進してよい。
【００２４】
「パラロガス」ＯＲ遺伝子又は「パラログ」は、遺伝子重複の結果物であり、同一種内で密接に関連する相同遺伝子をいう。
【００２５】
「オルソロガス」ＯＲ遺伝子又は「オルソログ」は、共通の祖先に存在する遺伝子によって系統学的に関連されるものとして定義され、他の種に密接に関連する相同遺伝子をいう。
【００２６】
「Ｎ末端ドメイン」領域は、Ｎ末端で開始し、第一の膜貫通領域の始まりに近い領域まで伸長する。
【００２７】
「膜貫通領域」は、７つの「膜貫通ドメイン」を含み、これは原形質膜内にあるＯＲポリペプチドのドメインをいい、かつ対応する細胞質（細胞内）ループ及び細胞外ループも含みうる。７つの膜貫通領域並びに細胞外ループ及び細胞質ループは、標準的な方法、例えば疎水性プロファイル、又はＫｙｔｅ ＆ Ｄｏｏｌｉｔｔｌｅ， Ｊ． Ｍｏｌ． Ｂｉｏｌ．， １５７：１０５−３２ （１９８２）においてもしくはＳｔｒｙｅｒにおいて記載される方法を使用して同定されうる。膜貫通ドメイン、特にＧタンパク質共役受容体の、例えば嗅覚受容体の７回膜貫通ドメインの一般的な二次構造及び三次構造は、当該技術分野において公知である。したがって、一次構造配列は、以下で詳細に記載されるように、公知の膜貫通ドメイン配列に基づいて予測されうる。これらの膜貫通ドメインは、ｉｎ ｖｉｔｒｏリガンド結合アッセイに有用である。
【００２８】
ＯＲファミリーメンバー媒介嗅覚伝達を調節する化合物を試験するためのアッセイの記載内容における「機能的効果」という語句は、受容体の影響下での間接的又は直接的な任意のパラメータ、例えば機能的、物理的及び化学的効果の決定を含む。それは、リガンド結合、イオンフラックスの変化、膜電位、電流、転写、Ｇタンパク質結合、ＧＰＣＲリン酸化又は脱リン酸化、シグナル伝達受容体−リガンド相互作用、セカンドメッセンジャー濃度（例えばｃＡＭＰ、ｃＧＭＰ、ＩＰ3、又は細胞内Ｃａ2+）、ｉｎ ｖｉｔｒｏ、ｉｎ ｖｉｖｏ、及びｅｘ ｖｉｖｏを含み、かつ他の生理学的効果、例えば神経伝達物質もしくはホルモン放出の増加又は減少も含む。
【００２９】
アッセイの記載内容における「機能的効果の決定」又は「活性の確認」に関しては、ＯＲファミリーメンバーの影響下での間接的又は直接的なパラメータ、例えば機能的、物理的及び化学効果を増加又は減少する化合物についてのアッセイを意味する。かかる機能的効果は、当業者に公知の任意の手段、例えば、分光学的特性（例えば蛍光、吸光度、屈折率）における変化、流体力学（例えば形状）、クロマトグラフィー又は溶解特性、パッチクランプ、電圧感受性色素、全細胞電流、放射性同位体流出、誘導マーカー、卵母細胞ＯＲ遺伝子発現；組織培養細胞ＯＲ発現；ＯＲ遺伝子又は活性誘導遺伝子、例えばｅｇｒ−１もしくはｃ−ｆｏｓの転写活性化；リガンド結合アッセイ；電圧、膜電位及びコンダクタンス変化；イオンフラックスアッセイ；細胞内セカンドメッセンジャー、例えばｃＡＭＰ、ｃＧＭＰ、イノシトール三リン酸（ＩＰ３）における変化；細胞内カルシウムレベルにおける変化；神経伝達物質の放出等により測定されうる。
【００３０】
ＯＲ遺伝子又はタンパク質の「バインダー」、「サプレッサー」、「ブロッカー」、「阻害剤」、及び／又は「調節剤」は、互換的に使用され、嗅覚伝達のためのｉｎ ｖｉｖｏ、ｉｎ ｖｉｔｒｏ及びｅｘ ｖｉｖｏでのアッセイを使用して同定された分子、例えばリガンド、アゴニスト、アンタゴニスト、エンハンサー、及びそれらのホモログ及び模倣体を結合、抑制、遮断、阻害、又は調節することをいう。
【００３１】
阻害剤は、例えば、刺激に結合する、刺激を部分的に又は完全に遮断する、活性化を減少する、抑制する、防止する、遅延する、嗅覚伝達を不活性化する、脱感作する、又は下方制御する化合物、例えばアンタゴニストである。一方で、活性化剤は、例えば、嗅覚伝達に結合する、嗅覚伝達を刺激する、増加する、開放活性化する、促進する、活性化を増強する、感作する、又は上方制御する化合物、例えばアゴニストである。
【００３２】
調節剤は、例えば、受容体と、受容体も非活性化及び脱感作する、活性化剤又は阻害剤を結合する細胞外タンパク質（例えば、匂い物質結合タンパク質、エブネリン及び疎水性キャリアファミリーの他のメンバー、又はリポカリンファミリーのメンバー）；Ｇタンパク質；キナーゼ（例えば、受容体の非活性化及び脱感作に関与するロドプシンキナーゼ及びベータアドレナリン受容体キナーゼのホモログ）；及びアレスチンとの相互作用を変化させる化合物を含む。
【００３３】
調節剤は、ＯＲに対する活性化剤の効果を変化させるＯＲの親和性又は伝達効率を変化させる化合物も含む。調節剤は、例えば、活性を変化させたＯＲファミリーメンバーの遺伝子改変バージョン、並びに天然及び合成のリガンド、アンタゴニスト、アゴニスト、小化学分子等を含みうる。阻害剤及び活性化剤のかかるアッセイは、例えば、細胞又は細胞膜におけるＯＲファミリーメンバーの発現、フレーバー、フレグランスもしくは悪臭分子、例えば本明細書において定義されるような悪臭を引き起こす物質の存在又は非存在下での推定調節剤化合物の適用、そして前記したように嗅覚伝達に対する機能的効果の決定を含む。潜在的な活性化剤、阻害剤、又は調節剤で処理されたＯＲファミリーメンバーを含む試料又はアッセイは、調節の程度を試験するために、阻害剤、活性化剤、又は調節剤を含まない対照試料と比較される。対照試料（調節剤で処理されていない）は、１００％の相対最大ＯＲ活性値が割り当てられる。ＯＲの阻害は、対照に対するＯＲ活性値が約８０％以下、７０％以下、６０％以下、５０％以下、４０％以下、３０％以下、又は２５〜０％、例えば１％、２％、３％、４％、５％、６％、７％、８％、９％又は１０％である場合に得られる。
【００３４】
本明細書において使用される「精製された」、「実質的に精製された」、及び「単離された」の用語は、本発明の化合物が通常その天然の状態で会合している他の異なる化合物を有さない状態をいい、そのため、「精製された」、「実質的に精製された」、及び「単離された」対象物は、所与の試料の質量の少なくとも０．５質量％、１質量％、５質量％、１０質量％もしくは２０質量％、又は少なくとも５０質量％もしくは７５質量％を含む。特定の一実施形態において、これらの用語は、所与の試料の少なくとも９５質量％、９６質量％、９７質量％、９８質量％、９９質量％又は１００質量％の質量を含む本発明の化合物をいう。本明細書において使用されるように、核酸又はタンパク質に関する場合に、「精製された」、「実質的に精製された」、及び「単離された」核酸又はタンパク質の用語は、天然に哺乳動物、特にヒトの身体で生じるものとは異なる精製又は濃縮された状態もいう。（１）他の関連する構造もしくは化合物からの精製又は（２）哺乳動物、特にヒトの身体において通常会合しないものに対する構造又は化合物との会合、を含む、哺乳動物、特にヒトの身体において天然に生じるものよりも大きい精製又は濃縮の任意の程度は、「単離された」の意味の範囲内である。本明細書において記載される核酸もしくはタンパク質又は核酸もしくはタンパク質の種類は、当業者に公知の種々の方法及びプロセスに従って単離されてよく又はそうでなければ通常天然に会合していないものに対する構造又は化合物と会合されてよい。
【００３５】
本明細書において使用されるように、「増幅している」及び「増幅」の用語は、以下に詳細に記載されるように、天然に発現された核酸の組換えを生じる又は検出するための任意の適した増幅方法の使用を言う。例えば、本発明は、ｉｎ ｖｉｖｏ、ｅｘ ｖｉｖｏ又はｉｎ ｖｉｔｒｏで天然に発現されたもの（例えばゲノムＤＮＡ又はｍＲＮＡ）又は本発明の組換え（例えばｃＤＮＡ）核酸を（例えばポリメラーゼ連鎖反応（ＰＣＲ）によって）増幅するための方法及び試薬（例えば、特異的縮重オリゴヌクレオチドプライマー対、オリゴｄＴプライマー）を提供する。
【００３６】
「７回膜貫通受容体」という用語は、７回原形質膜を貫通する７つのドメインを有する膜貫通タンパク質のスーパーファミリーに属するポリペプチドを意味する（したがって、７つのドメインは「膜貫通」又は「ＴＭ」ドメインであるＴＭ Ｉ〜ＴＭ ＶＩＩと呼ばれる）。嗅覚及び特定の味覚受容体のファミリーは、それぞれこのスーパーファミリーに属する。７回膜貫通受容体ポリペプチドは、以下でさらに詳細に議論されるように、類似の特徴的な一次、二次及び三次構造を有する。
【００３７】
「核酸」又は「核酸配列」という用語は、一本鎖又は二本鎖の形でのデオキシリボヌクレオチド又はリボヌクレオチドオリゴヌクレオチドをいう。この用語は、天然ヌクレオチドの公知の類似体を含む核酸、すなわちオリゴヌクレオチドを包含する。この用語は、合成骨格を有する核酸様構造も包含する。特に明記されない限り、特定の核酸配列は、それらの保存的に改変されたバリアント（例えば、縮重コドン置換）及び相補配列、並びに明確に示された配列も暗黙的に包含する。具体的に、縮重コドン置換は、例えば、１つ以上の選択されたコドンの３番目の位置を混合塩基及び／又はデオキシイノシン残基で置換した配列を生成することによって達成されてよい。
【００３８】
本明細書に開示された配列において示されている遺伝子配列に加えて、バリアントが所与の集団内に存在してよいＤＮＡ配列多型も含み、本明細書に開示されるポリペプチドのアミノ酸配列の変化をもたらしうることは、当業者に明白であろう。かかる遺伝的多型は、異なる集団からの細胞中に又は天然の対立遺伝子変異による集団内に存在しうる。 対立遺伝子多様体は機能的等価物を含んでもよい。
【００３９】
さらなる実施形態は、具体的に開示された核酸からかかる配列多型によって誘導された分子にも関する。これらの自然変異は、通常、本明細書に開示された遺伝子のヌクレオチド配列又はポリペプチドのアミノ酸配列において約１〜５％の変動をもたらす。前記のように、本明細書における実施形態のポリペプチドをコードする核酸は、本明細書に記載された方法で使用されることが意図される非ヒト宿主生物又は宿主細胞を改質するために有用な手段である。
【００４０】
「ポリペプチド」、「ペプチド」及び「タンパク質」という用語は、本明細書において互換的に使用され、天然に生じるアミノ酸又はポリマー及び天然に生じないアミノ酸又はポリマーを含むかどうかにかかわらず、アミノ酸残基のポリマーをいう。核酸の一部に関連して使用される場合に「異種」という用語は、核酸が、天然に互いに同一の関係で見られない２つ以上の部分配列を含むことを示す。例えば、核酸は、典型的には組換えにより産生され、それは新たな機能的核酸、例えばある供給源からのプロモーター及び別の供給源からのコード領域を作成するように配置された無関係の遺伝子からの２つ以上の配列を有する。同様に、異種タンパク質は、タンパク質が天然に互いに同一の関係で見られない２つ以上の部分配列を含むことを示す（例えば融合タンパク質）。
【００４１】
「プロモーター」は、核酸の転写を指示する核酸配列のアレイとして定義される。本明細書で使用されるプロモーターは、転写の開始部位に近い必要な核酸配列、例えばポリメラーゼＩＩ型プロモーターの場合にＴＡＴＡエレメントを含む。プロモーターは、転写の開始部位から数千塩基対も離れて配置されうる遠位エンハンサー又はリプレッサーエレメントも任意に含む。「構成的」プロモーターは、ほとんどの環境及び発達条件下で活性のあるプロモーターである。「誘導性」プロモーターは、環境又は発達の制御下で活性のあるプロモーターである。「操作可能に連結された」という用語は、核酸発現制御配列（例えばプロモーター、又は転写因子結合部位のアレイ）と第二の核酸配列との間の機能的連結をいい、その際、発現制御配列は、第二の配列に対応する核酸の転写を指示する。
【００４２】
本明細書において使用される「組換え」は、ｉｎ ｖｉｔｒｏで合成又はそうでなければ操作されるポリヌクレオチド（例えば「組換えポリヌクレオチド」）、組換えポリヌクレオチドを使用して細胞又は他の生物系において遺伝子産物を製造する方法、又は組換えポリヌクレオチドによりコードされるポリペプチド（「組換えタンパク質」）をいう。「組換え」は、本発明の転座ドメインを含む融合タンパク質の発現及びプライマーを使用して潜在的に増幅させた核酸配列の発現、例えば誘導性発現又は構成的発現のための発現カセット又は発現ベクターへの、異なる供給源から種々のコード領域又はドメイン又はプロモーター配列を有する核酸の連結も意味する。「組換え」は、内因性遺伝子、例えば本明細書で言及する受容体遺伝子の安定な発現又は一過性発現をもたらす細胞のゲノム編集技術、例えばＣＲＩＳＰＲ／Ｃａｓ９によって得られる改変も意味する。
【００４３】
「発現ベクター」という用語は、原核生物、酵母、真菌、植物、昆虫又は哺乳動物の細胞を含む任意の細胞において、ｉｎ ｖｉｔｒｏ、ｅｘ ｖｉｖｏ、又はｉｎ ｖｉｖｏで構成的又は誘導的に本発明の核酸配列を発現する目的の任意の組換え発現系をいう。前記用語は、制限されることなく、ウイルスベクター、バクテリオファージ及びプラスミドを含む、任意の線状又は環状の発現系を含む。当業者は、発現系に従って適したベクターを選択することができる。前記用語は、エピソームのままであるか、又は宿主細胞ゲノムに組み込まれる発現系を含む。発現系は、自己複製する能力を有するか、又は自己複製しない、すなわち細胞内で一過性の発現を操作する能力を有しうる。前記用語は、組換え核酸の転写に必要な最小限のエレメントを含みうる組換え「発現カセット」を含む。前記用語は、例えばゲノム編集方法、例えばＣＲＩＳＰＲ／Ｃａｓ９を介した内因性遺伝子の発現のためのカセット又はベクターも対象とする。
【００４４】
「非ヒト生物又は宿主細胞」に関しては、本明細書において記載される核酸又は発現ベクターを含み、かつ発現ベクターの複製又は発現を支持する非ヒト生物又は細胞を意味する。宿主細胞は、原核細胞、例えば大腸菌（E. coli）、又は真核細胞、例えば酵母、昆虫、両生類、又は哺乳動物の細胞、例えばＣＨＯ、ＨｅＬａ、ＨＥＫ−２９３等、例えば培養細胞、外植片、及びｉｎ ｖｉｖｏでの細胞であってよい。
【００４５】
「タグ」又は「タグの組み合わせ」に関しては、匂い物質受容体タンパク質に付加されうる短いポリペプチド配列を意味する。典型的に、「タグ」又は「タグの組み合わせ」をコードするＤＮＡは、最終的に「タグ」又は「タグの組み合わせ」が受容体のＮ末端又はＣ末端に融合する融合タンパク質をもたらす受容体をコードするＤＮＡに付加される。Ｌｕｃｙタグ、ＦＬＡＧ（登録商標）タグ及び／又はＲｈｏタグは、細胞膜への受容体輸送を強化することができ、したがって、ｉｎ ｖｉｔｒｏ細胞ベースのアッセイのための機能的匂い物質受容体の発現を支援しうる［Ｓｈｅｐａｒｄ， Ｂ．ら ＰＬｏＳ Ｏｎｅ ８， ｅ６８７５８−ｅ６８７５８ （２０１３）、及びＺｈｕａｎｇ， Ｈ． ＆ Ｍａｔｓｕｎａｍｉ， Ｈ． Ｊ． Ｂｉｏｌ． Ｃｈｅｍ． ２８２， １５２８４−１５２９３ （２００７）］。
【００４６】
「ゲオノール」及び／又は「ゲオスミン（Ｇｅｏｓｍｉｎ）」は、（４Ｓ，４ａＳ，８ａＲ）−４，８ａ−ジメチル−１，２，３，４，５，６，７，−オクタヒドロナフタレン−４ａ−オールをいう。
【００４７】
特定の実施形態
特に、本発明は、表１ａにおいて示すような、悪臭を引き起こす物質であるゲオノール、ジメチルトリスルフィド（ＤＭＴＳ）、１−オクテン−３−オール、酪酸、３−メチル−２−ヘキセン酸、３−ヒドロキシ−３−メチル−ヘキサン酸、及びトランスピロール（３−メチル−３−スルファニルヘキサノール）についての受容体として、ヒト嗅覚受容体（ＯＲ）である、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、ＯＲ８Ｇ１、及び対応するマウスオルソログであるＯｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、及びＯｌｆｒ５５８、並びにマウスＯＲであるＯｌｆｒ１４８７、Ｏｌｆｒ３３９、Ｏｌｆｒ１１２６、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２、及びＯｌｆｒ４６を使用する。
【表１ａ】
2021504673.tif 000003
【００４８】
表１ｂは、本発明に従って適用されたＯＲの対応する配列番号を示す：
【表１ｂ】
2021504673.tif 000004
【００４９】
これらの受容体は、ゲオノール、ジメチルトリスルフィド（ＤＭＴＳ）、１−オクテン−３−オール、酪酸、３−メチル−２−ヘキセン酸、３−ヒドロキシ−３メチル−ヘキサン酸、及びトランスピロールから選択される悪臭を引き起こす物質と以前に関連しなかった。
【００５０】
一実施形態において、配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４又はそれらの逆相補体に対して少なくとも７０％、７５％、８０％、８５％、９０％、９５％、９６％、９７％、９８％、９９％、又は１００％の配列同一性を有する核酸配列を含む単離された核酸分子が本明細書において提供される。
【００５１】
一実施形態において、配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して少なくとも７０％、７５％、８０％、８５％、９０％、９５％、９６％、９７％、９８％、９９％、又は１００％の配列同一性を有するアミノ酸配列を含むポリペプチドをコードする、前記単離された核酸配列が本明細書において提供される。
【００５２】
さらなる実施形態において、配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して少なくとも７０％、７５％、８０％、８５％、９０％、９５％、９６％、９７％、９８％、９９％、又は１００％の配列同一性を有するアミノ酸配列を含む単離されたポリペプチドが本明細書において提供される。
【００５３】
一実施形態において、非ヒト生物又は宿主細胞は、形質転換されて、配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して少なくとも７０％、７５％、８０％、８５％、９０％、９５％、９６％、９７％、９８％、９９％、又は１００％の配列同一性を有するアミノ酸配列を含むポリペプチドを発現する。
【００５４】
一実施形態において、非ヒト生物又は宿主細胞は、形質転換されて、配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５と同一であるアミノ酸配列を含むポリペプチドを発現する。
【００５５】
さらに、本明細書において、配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して少なくとも７０％、７５％、８０％、８５％、９０％、９５％、９６％、９７％、９８％、９９％、又は１００％の配列同一性を有するアミノ酸配列を含むポリペプチドをコードする核酸を含む発現ベクターが提供される。
【００５６】
本明細書において、配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４、又はそれらの逆相補体に対して少なくとも７０％、７５％、８０％、８５％、９０％、９５％、９６％、９７％、９８％、９９％、又は１００％の配列同一性を有する核酸配列を含む核酸を含む発現ベクターも提供される。
【００５７】
本明細書において、配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４、又はそれらの逆相補体と同一であるヌクレオチド配列を含む核酸を有する発現ベクターも提供される。
【００５８】
より詳述すれば、本発明は、以下の特定の実施形態に関する。
【００５９】
１．  ランドリーの悪臭、カビの悪臭、及び／又は汗の悪臭を引き起こす物質により活性化される嗅覚受容体（ＯＲ）の活性を結合する、抑制する、遮断する、阻害する、及び／又は調節する化合物を同定するための方法であって、
ａ．  ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、ＯＲ８Ｇ１、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２及びＯｌｆｒ４６並びにそれらのキメラ又は機能的断片からなる群から選択される少なくとも１つ、特に１つの嗅覚受容体ポリペプチドに；又は少なくとも１つ、特に１つの前記嗅覚受容体ポリペプチドに対して少なくとも７０％、例えば７５％、８０％、８５％、９０％、及び特に９５％、９６％、９７％、９８％、９９％、又は１００％のアミノ酸配列の同一性を有する少なくとも１つの嗅覚受容体ポリペプチドに、試験物質並びに前記ランドリーの悪臭、カビの悪臭及び／又は汗の悪臭を引き起こす物質を接触させること；並びに
ｂ．  試験物質の存在及び非存在下で前記嗅覚受容体の応答を測定することにより、悪臭を引き起こす物質に対する前記少なくとも１つ、特に１つの嗅覚受容体の応答を測定すること
を含む、前記方法。
【００６０】
ＯＲの特定のサブグループは、ヒトＯＲであるＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、及びＯＲ８Ｇ１を含む。
【００６１】
ＯＲの他の特定のサブグループは、マウスＯＲであるＯｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２、及びＯｌｆｒ４６を含む。
【００６２】
２．  さらに、
ｃ．  試験物質の存在及び非存在下で測定された応答に基づいて、前記少なくとも１つ、特に１つの嗅覚受容体の応答を調節する試験物質を同定すること、及び
ｄ．  悪臭を引き起こす物質に対する前記少なくとも１つ、特に１つの嗅覚受容体の応答を調節する化合物として同定された試験物質を選択すること
を含む、実施形態１に記載の方法。
【００６３】
３．  前記悪臭を引き起こす物質が、ゲオノール、ジメチルトリスルフィド（ＤＭＴＳ）、１−オクテン−３−オール、酪酸、３−メチル−２−ヘキセン酸、３−ヒドロキシ−３−メチル−ヘキサン酸、トランスピロール、及び前記物質の少なくとも２つ、例えば２つ又は３つの混合物からなる群から選択される、実施形態１又は２に記載の方法。
【００６４】
４．  前記少なくとも１つの嗅覚受容体ポリペプチドが、
ａ．  配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して、少なくとも７０％、例えば７５％、８０％、８５％、９０％、及び特に９５％、９６％、９７％、９８％、９９％、又は１００％の配列同一性を有するアミノ酸配列を含み；及び／又は
ｂ．  配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４、又はそれらの逆相補体に対して、少なくとも７０％、例えば７５％、８０％、８５％、９０％、及び特に９５％、９６％、９７％、９８％、９９％、又は１００％の配列同一性を有するヌクレオチド配列を含む核酸分子によりコードされる、
前記実施形態のいずれかに記載の方法。
【００６５】
この実施形態のＯＲの特定のサブグループは、配列番号２、４、６、８、１０、１２、１４、１６、１８、２０、５７、５９、又は６１であるか、又はそれらに由来する。
【００６６】
この実施形態のＯＲの他の特定のサブグループは、配列番号１、３、５、７、９、１１、１３、１５、１７、１９、５６、５８、６０のヌクレオチド配列又はそれらに由来するヌクレオチド配列を含む核酸分子によりコードされる。
【００６７】
５．  前記ポリペプチドが、
ａ．  配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して、少なくとも９０％、９５％、９８％、９９％又は１００％の配列同一性を有するアミノ酸配列を含み；及び／又は
ｂ．  配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４、又はそれらの逆相補体に対して、少なくとも９０％、９５％、９８％、９９％又は１００％の配列同一性を有するヌクレオチド配列を含む核酸分子によりコードされる、
実施形態４に記載の方法。
【００６８】
この実施形態のＯＲの特定のサブグループは、配列番号２、４、６、８、１０、１２、１４、１６、１８、２０、５７、５９、又は６１であるか、又はそれらに由来する。
【００６９】
この実施形態のＯＲの他の特定のサブグループは、配列番号１、３、５、７、９、１１、１３、１５、１７、１９、５６、５８、６０のヌクレオチド配列又はそれらに由来するヌクレオチド配列を含む核酸分子によりコードされる。
【００７０】
６．  前記悪臭を引き起こす物質が、ゲオノール、ＤＭＴＳ、１−オクテン−３−オール及び前記物質の少なくとも２つの混合物からなる群から選択されるランドリーの悪臭を引き起こす物質である、実施形態１から５までのいずれか１つに記載の方法。
【００７１】
７．  前記悪臭を引き起こす物質が、ゲオノール、ＤＭＴＳ、１−オクテン−３−オール及び前記物質の少なくとも２つの混合物からなる群から選択されるカビの悪臭を引き起こす物質である、実施形態１から５までのいずれか１つに記載の方法。
【００７２】
８．  前記悪臭を引き起こす物質が、酪酸、３−メチル−２−ヘキセン酸、３−ヒドロキシ−３−メチル−ヘキサン酸、トランスピロール、及び前記物質の少なくとも２つの混合物からなる群から選択される汗の悪臭を引き起こす物質である、実施形態１から５までのいずれか１つに記載の方法。
【００７３】
９．  前記嗅覚受容体ポリペプチドが、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ４Ｓ２、Ｏｌｆｒ２６３、Ｏｌｆｒ４０３、Ｏｌｆｒ７３５、Ｏｌｆｒ１１９３、Ｏｌｆｒ１３７、Ｏｌｆｒ１７３、Ｏｌｆｒ１６４、Ｏｌｆｒ１４８７、Ｏｌｆｒ３３９、Ｏｌｆｒ９６、Ｏｌｆｒ１３２２、Ｏｌｆｒ９３、Ｏｌｆｒ３９８、Ｏｌｆｒ１２０、Ｏｌｆｒ１３６４及びＯｌｆｒ９３７；それらのキメラ及び機能的断片；並びに少なくとも１つの前記嗅覚受容体ポリペプチドに対して少なくとも７０％、例えば７５％、８０％、８５％、９０％、及び特に９５％、９６％、９７％、９８％、９９％、又は１００％のアミノ酸配列同一性を有する嗅覚受容体ポリペプチドからなる群から選択される、実施形態６又は７に記載の方法。この実施形態のＯＲの特定のサブグループは、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３及びＯＲ４Ｓ２から選択される。
【００７４】
１０．  前記悪臭を引き起こす物質が１−オクテン−３−オールを含み、かつ前記嗅覚受容体が、ＯＲ２Ｗ１、ＯＲ１Ａ１、ＯＲ２Ｊ３、ＯＲ５Ｋ１、ＯＲ４Ｑ３、Ｏｌｆｒ２６３、Ｏｌｆｒ４０３、Ｏｌｆｒ１３７、Ｏｌｆｒ１７３、Ｏｌｆｒ７３５、Ｏｌｆｒ９３、Ｏｌｆｒ３９８、Ｏｌｆｒ１２０、Ｏｌｆｒ１３６４及びＯｌｆｒ９３７；それらのキメラ及び機能的断片；並びに少なくとも１つの前記嗅覚受容体ポリペプチドに対して少なくとも７０％、例えば７５％、８０％、８５％、９０％、及び特に９５％、９６％、９７％、９８％、９９％、又は１００％のアミノ酸配列同一性を有する嗅覚受容体ポリペプチドからなる群から選択される、実施形態９に記載の方法。この実施形態のＯＲの特定のサブグループは、ＯＲ２Ｗ１、ＯＲ１Ａ１、ＯＲ２Ｊ３、ＯＲ５Ｋ１、及びＯＲ４Ｑ３から選択される。
【００７５】
１１．  前記悪臭を引き起こす物質がゲオノールを含み、かつ前記嗅覚受容体が、ＯＲ１Ａ１、ＯＲ１１Ａ１、ＯＲ２Ｍ３、Ｏｌｆｒ４０３、Ｏｌｆｒ１６４、Ｏｌｆｒ１４８７、Ｏｌｆｒ３３９、Ｏｌｆｒ９６及びＯｌｆｒ１３２２；それらのキメラ及び機能的断片；並びに少なくとも１つの前記嗅覚受容体ポリペプチドに対して少なくとも７０％、例えば７５％、８０％、８５％、９０％、及び特に９５％、９６％、９７％、９８％、９９％、又は１００％のアミノ酸配列同一性を有する嗅覚受容体ポリペプチドからなる群から選択される、実施形態９に記載の方法。この実施形態のＯＲの特定のサブグループは、ＯＲ１１Ａ１、ＯＲ２Ｍ３及びＯＲ１Ａ１から選択される。
【００７６】
１２．  前記悪臭を引き起こす物質がＤＭＴＳを含み、かつ前記嗅覚受容体が、ＯＲ２Ｗ１、ＯＲ１Ａ１、ＯＲ５Ｋ１、ＯＲ４Ｓ２、Ｏｌｆｒ２６３、Ｏｌｆｒ１１９３、Ｏｌｆｒ１７３及びＯｌｆｒ４０３；それらのキメラ及び機能的断片；並びに少なくとも１つの前記嗅覚受容体ポリペプチドに対して少なくとも７０％、例えば７５％、８０％、８５％、９０％、及び特に９５％、９６％、９７％、９８％、９９％、又は１００％のアミノ酸配列同一性を有する嗅覚受容体ポリペプチドからなる群から選択される、実施形態９に記載の方法。この実施形態のＯＲの特定のサブグループは、ＯＲ２Ｗ１、ＯＲ１Ａ１、ＯＲ５Ｋ１及びＯＲ４Ｓ２から選択される。
【００７７】
１３．  前記嗅覚受容体ポリペプチドが、ＯＲ２Ｗ１、ＯＲ１Ａ１、ＯＲ２Ｊ３、ＯＲ５Ｋ１、ＯＲ５１Ｅ１、ＯＲ５１Ｉ２、Ｏｌｆｒ２６３、Ｏｌｆｒ４０３、Ｏｌｆｒ６４１、Ｏｌｆｒ１３７、Ｏｌｆｒ１７３、Ｏｌｆｒ１１２６、Ｏｌｆｒ５５８及びＯｌｆｒ４６；それらのキメラ及び機能的断片；並びに少なくとも１つの前記嗅覚受容体ポリペプチドに対して少なくとも７０％、例えば７５％、８０％、８５％、９０％、及び特に９５％、９６％、９７％、９８％、９９％、又は１００％のアミノ酸配列同一性を有する嗅覚受容体ポリペプチドからなる群から選択される、実施形態８に記載の方法。この実施形態のＯＲの特定のサブグループは、ＯＲ２Ｗ１、ＯＲ１Ａ１、ＯＲ２Ｊ３、ＯＲ５Ｋ１、ＯＲ５１Ｅ１及びＯＲ５１Ｉ２から選択される。
【００７８】
１４．  前記悪臭を引き起こす物質が酪酸を含み、かつ前記嗅覚受容体が、ＯＲ５１Ｅ１及びＯｌｆｒ５５８；それらのキメラ及び機能的断片；並びに少なくとも１つの前記嗅覚受容体ポリペプチドに対して少なくとも７０％、例えば７５％、８０％、８５％、９０％、及び特に９５％、９６％、９７％、９８％、９９％、又は１００％のアミノ酸配列同一性を有する嗅覚受容体ポリペプチドからなる群から選択される、実施形態１３に記載の方法。この実施形態のＯＲの特定のサブグループは、ＯＲ５１Ｅ１である。
【００７９】
１５．  前記悪臭を引き起こす物質が３−メチル−２−ヘキセン酸を含み、かつ前記嗅覚受容体が、ＯＲ５１Ｉ２、ＯＲ２Ｗ１、Ｏｌｆｒ６４１及びＯｌｆｒ２６３；それらのキメラ及び機能的断片；並びに少なくとも１つの前記嗅覚受容体ポリペプチドに対して少なくとも７０％、例えば７５％、８０％、８５％、９０％、及び特に９５％、９６％、９７％、９８％、９９％、又は１００％のアミノ酸配列同一性を有する嗅覚受容体ポリペプチドからなる群から選択される、実施形態１３に記載の方法。
【００８０】
１６．  前記悪臭を引き起こす物質が３−ヒドロキシ−３−メチル−ヘキサン酸を含み、かつ前記嗅覚受容体が、ＯＲ２Ｗ１、Ｏｌｆｒ１１２６及びＯｌｆｒ２６３；それらのキメラ及び機能的断片；並びに少なくとも１つの前記嗅覚受容体ポリペプチドに対して少なくとも７０％、例えば７５％、８０％、８５％、９０％、及び特に９５％、９６％、９７％、９８％、９９％、又は１００％のアミノ酸配列同一性を有する嗅覚受容体ポリペプチドからなる群から選択される、実施形態１３に記載の方法。
【００８１】
１７．  前記悪臭を引き起こす物質がトランスピロールを含み、かつ前記嗅覚受容体が、ＯＲ２Ｗ１、ＯＲ１Ａ１、ＯＲ２Ｊ３、ＯＲ５Ｋ１、Ｏｌｆｒ２６３、Ｏｌｆｒ１３７、Ｏｌｆｒ１７３、Ｏｌｆｒ４０３及びＯｌｆｒ４６；それらのキメラ及び機能的断片；並びに少なくとも１つの前記嗅覚受容体ポリペプチドに対して少なくとも７０％、例えば７５％、８０％、８５％、９０％、及び特に９５％、９６％、９７％、９８％、９９％、又は１００％のアミノ酸配列同一性を有する嗅覚受容体ポリペプチドからなる群から選択される、実施形態１３に記載の方法。この実施形態のＯＲの特定のサブグループは、ＯＲ２Ｗ１、ＯＲ１Ａ１、ＯＲ２Ｊ３及びＯＲ５Ｋ１から選択される。
【００８２】
１８．  悪臭を引き起こす物質により活性化される少なくとも１つの嗅覚受容体の活性を結合する、抑制する、遮断する、阻害する、及び／又は調節する化合物を同定するための方法であって、
前記受容体が、
ａ．  配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して、少なくとも７０％、例えば７５％、８０％、８５％、９０％、及び特に９５％、９６％、９７％、９８％、９９％、又は１００％の配列同一性を有するアミノ酸配列を含み；及び／又は
ｂ．  配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４、又はそれらの逆相補体に対して、少なくとも７０％、例えば７５％、８０％、８５％、９０％、及び特に９５％、９６％、９７％、９８％、９９％、又は１００％の配列同一性を有するヌクレオチド配列を含む核酸分子によりコードされる、
ポリペプチドであり、
前記方法が、
１．  受容体、又はそれらのキメラもしくは断片と化合物とを接触させること；
２．  化合物が受容体の活性に対して効果を有するかどうかを決定すること
を含み、かつ
前記悪臭を引き起こす物質が、ゲオノール、ＤＭＴＳ、１−オクテン−３−オール、酪酸、３−メチル−２−ヘキセン酸、３−ヒドロキシ−３−メチル−ヘキサン酸、トランスピロール、及び前記物質の少なくとも２つの混合物からなる群から選択される、前記方法。
【００８３】
この実施形態のＯＲの特定のサブグループは、配列番号２、４、６、８、１０、１２、１４、１６、１８、２０、５７、５９、又は６１であるか、又はそれらに由来する。
【００８４】
この実施形態のＯＲの他の特定のサブグループは、配列番号１、３、５、７、９、１１、１３、１５、１７、１９、５６、５８、６０のヌクレオチド配列又はそれらに由来するヌクレオチド配列を含む核酸分子によりコードされる。
【００８５】
１９．  ゲオノール、ＤＭＴＳ、１−オクテン−３−オール、酪酸、３−メチル−２−ヘキセン酸、３−ヒドロキシ−３−メチル−ヘキサン酸、トランスピロール、及び前記物質の少なくとも２つの混合物からなる群から選択されるランドリーの悪臭、カビの悪臭、及び／又は汗の悪臭を引き起こす物質により活性化される嗅覚受容体の活性を結合する、抑制する、遮断する、阻害する、及び／又は調節する化合物を同定するための方法であって、
（ｉ）  ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、ＯＲ８Ｇ１、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２及びＯｌｆｒ４６並びにそれらのキメラ又は機能的断片からなる群から選択される少なくとも１つの嗅覚受容体ポリペプチド、又は少なくとも１つの前記嗅覚受容体ポリペプチドに対して少なくとも７０％のアミノ酸配列同一性を有する少なくとも１つの嗅覚受容体ポリペプチドを発現する細胞株と、少なくとも１つの化合物とを接触させること、
（ｉｉ）  前記嗅覚受容体ポリペプチドの活性を結合する、抑制する、遮断する、阻害する、及び／又は調節する化合物をスクリーニングすること、並びに
（ｉｉｉ）  前記受容体ポリペプチドの活性を結合する、抑制する、遮断する、阻害する、及び／又は調節する場合に、ランドリーの悪臭、カビの悪臭及び／又は汗の悪臭を推定的に調節する化合物を同定すること
を含む、前記方法。
【００８６】
ＯＲの特定のサブグループは、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、及びＯＲ８Ｇ１を含む。
【００８７】
ＯＲの他の特定のサブグループは、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２、及びＯｌｆｒ４６である。
【００８８】
２０．  配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して少なくとも７０％、７５％、８０％、８５％、９０％、９５％、９６％、９７％、９８％、９９％、又は１００％の配列同一性を有するアミノ酸配列を含む単離されたポリペプチド。
【００８９】
２１．  実施形態２０に記載のポリペプチドをコードする核酸配列を含む単離された核酸分子。
【００９０】
２２．  配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４、又はそれらの逆相補体に対して少なくとも７０％、７５％、８０％、８５％、９０％、９５％、９６％、９７％、９８％、９９％、又は１００％の配列同一性を有する核酸配列を含む、実施形態２０に記載の単離された核酸分子。
【００９１】
２３．  組換え核酸分子であって、
ａ．  Ｌｕｃｙタグ、ＦＬＡＧ（登録商標）タグ、及び／又はＲｈｏタグの少なくとも１つを含むタグの組み合わせを含む核酸；並びに
ｂ．  ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、ＯＲ８Ｇ１、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２及びＯｌｆｒ４６からなる群から選択される受容体をコードする核酸又はそれらの相補体
を含む、組換え核酸分子。
【００９２】
ＯＲの特定のサブグループは、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、及びＯＲ８Ｇ１である。
【００９３】
ＯＲの他の特定のサブグループは、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２、及びＯｌｆｒ４６である。
【００９４】
２４．  Ｌｕｃｙタグが配列番号５１を含み、ＦＬＡＧ（登録商標）タグが配列番号４７を含み、かつＲｈｏタグが配列番号４９を含む、実施形態２３に記載の組換え核酸分子。
【００９５】
２５．  実施形態２１から２４までのいずれかに記載の核酸を含む発現ベクター。
【００９６】
２６．  ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、ＯＲ８Ｇ１、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２及びＯｌｆｒ４６からなる群から選択される受容体を発現するように改変されている、非ヒト宿主生物又は宿主細胞。
【００９７】
ＯＲの特定のサブグループは、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、及びＯＲ８Ｇ１である。
【００９８】
ＯＲの他の特定のサブグループは、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２、及びＯｌｆｒ４６である。
【００９９】
２７．  前記受容体が、実施形態１９に記載のポリペプチド、又は実施形態２１から２４までのいずれかに記載の核酸によりコードされたポリペプチドを含む、実施形態２６に記載の非ヒト宿主生物又は宿主細胞。
【０１００】
２８．  非ヒト宿主生物又は宿主細胞であって、
ａ．実施形態２１から２４までのいずれかに記載の核酸、又は
ｂ．実施形態２５に記載の発現ベクター
を含む、非ヒト宿主生物又は宿主細胞。
【０１０１】
２９．  前記細胞が真核細胞である、実施形態２６から２８までのいずれかに記載の非ヒト宿主生物又は宿主細胞。
【０１０２】
３０．  前記細胞が原核細胞である、実施形態２６から２８までのいずれかに記載の非ヒト宿主生物又は宿主細胞。
【０１０３】
３１．  ＨＥＫ２９３、ＣＨＯ、アフリカツメガエル（Xenopus oocytes）、ＣＯＳ、酵母及び嗅覚プラコードに由来する細胞からなる群から選択される、実施形態２６から２９までのいずれかに記載の非ヒト宿主生物又は宿主細胞。
【０１０４】
３２．  悪臭調節化合物を同定するための、配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５に対して少なくとも７０％、７５％、８０％、８５％、９０％、９５％、９６％、９７％、９８％、９９％、又は１００％の配列同一性を有するアミノ酸配列を含む、ゲオノール、ＤＭＴＳ、１−オクテン−３−オール、酪酸、３−メチル−２−ヘキセン酸、３−ヒドロキシ−３−メチル−ヘキサン酸、トランスピロール、及び前記物質の少なくとも２つの混合物からなる群から選択される物質によって活性化されうるポリペプチドの使用。
【０１０５】
この実施形態のＯＲの特定のサブグループは、配列番号２、４、６、８、１０、１２、１４、１６、１８、又は２０であるか、又はそれらに由来する。
【０１０６】
本明細書に示されるように、本発明に従って同定されるＯＲは、単一のＭＣＳに特異的であり、又は構造的に異なるＭＣＳのパネルにより活性化されてよい。したがって、本発明は、適した調節物質を同定するための異なる戦略を可能にする。
【０１０７】
例えば、ゲオノールについてのみの阻害剤が対象である場合に、本発明のアッセイ方法においてＯＲ１１Ａ１又はＯＲ２Ｍ３を使用することが賢明であってよい。
【０１０８】
例えば、ＤＴＭＳ、及び１−オクテン−３−オール及び任意にゲオノールについての阻害剤が対象である場合に、本発明のアッセイ方法においてＯＲ２Ｗ３、ＯＲ５Ｋ１又は任意にＯＲ１Ａ１を使用することが賢明であってよい。ランドリーの悪臭、カビの悪臭又は汗の悪臭を引き起こす物質を打ち消している調節剤を同定するための、又はランドリーの悪臭、カビの悪臭及び汗の悪臭を引き起こす物質を打ち消す調節剤を同定するための他のアッセイ戦略は、本明細書に開示される実験結果から明らかになる。
【０１０９】
さらに、ゲオノール、ＤＭＴＳ、１−オクテン−３−オール、酪酸、３−メチル−２−ヘキセン酸、３−ヒドロキシ−３−メチル−ヘキサン酸、トランスピロール、及びこれらの物質の少なくとも２つの混合物からなる群から選択される悪臭を引き起こす物質によって活性化される嗅覚受容体の活性を結合、抑制、遮断、阻害、及び／又調節し、かつ本明細書において開示される方法により同定される多数の悪臭調節化合物のいずれか１つが提供される。
【０１１０】
一実施形態に従って、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、ＯＲ８Ｇ１、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２及びＯｌｆｒ４６からなる群から選択される少なくとも１つの嗅覚受容体の活性を結合、抑制、遮断、阻害、及び／又は調節し、かつ本明細書において開示される方法により同定される悪臭調節化合物が提供される。この実施形態のＯＲの特定のサブグループは、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、及びＯＲ８Ｇ１であるか又はそれらに由来する。ＯＲの他の特定のサブグループは、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２、及びＯｌｆｒ４６である。
【０１１１】
本発明の方法で試験されるべき試験物質は特に制限されない。試験物質は、天然に生じる物質又は化学的もしくは生物学的に合成された人工物質であってよい。試験物質は、化合物又は化合物の混合物であってよい。
【０１１２】
ＭＣＳであるゲオノール、ＤＭＴＳ、１−オクテン−３−オール、酪酸、３−メチル−２−ヘキセン酸、３−ヒドロキシ−３−メチル−ヘキサン酸、又はトランスピロールに特異的な未知の受容体を同定するために、前記ＭＣＳ化合物を使用して、分離した嗅覚ニューロン（ＯＳＮ）をスクリーニングできる。前記ＭＣＳ化合物を、さらに、前記ＭＣＳに特異的な受容体で実施される細胞ベースの用量反応実験のために使用して、受容体の特異性及び感度の双方を評価することができる。
【０１１３】
一態様において、本明細書において、悪臭調節化合物についての哺乳動物の匂い物質受容体を同定するための方法、及びスクリーニング、特に（例えば、ＯＲの活性を結合、抑制、遮断、阻害及び／又は調節する）悪臭調節剤のハイスループットスクリーニング（ＨＴＳ）のための受容体の使用が提供される。
【０１１４】
ＯＲ活性のモニタリング方法
ＯＲの機能が損なわれない限り、ＯＲは本発明の方法において任意の形態で使用されてよい。例えば、以下のようなＯＲが使用されてよい：生体及びそれらの培養産物から単離されたＯＲ、例えば嗅覚ニューロンを本質的に発現する組織又は細胞細胞；ＯＲを有する嗅覚細胞膜；ＯＲ及びそれらの培養産物を発現するように遺伝子改変された組換え細胞；組換え細胞の膜；並びにＯＲを保有する人工脂質二重膜。
【０１１５】
さらなる実施形態において、嗅覚受容体の活性をモニタリングするための指示薬は、蛍光カルシウム指示薬色素、カルシウム指示薬タンパク質（例えば、ＧｃａＭＰ、遺伝的にコードされたカルシウム指示薬）、蛍光ｃＡＭＰ指示薬、細胞動員アッセイ、細胞動的質量再分布アッセイ、無標識細胞ベースのアッセイ、ｃＡＭＰ応答エレメント（ＣＲＥ）媒介レポータータンパク質、生化学的ｃＡＭＰ ＨＴＲＦアッセイ、ベータアレスチンアッセイ、又は電気生理学的記録から選択される。特に、嗅覚ニューロンの膜上で発現する嗅覚受容体の活性をモニタリングするために使用できるカルシウム指示薬色素（例えばＦｕｒａ−２ ＡＭ）が選択される。
【０１１６】
特定の実施形態において、化合物を連続的にスクリーニングし、カルシウム色素蛍光での匂い物質依存性の変化を、蛍光顕微鏡又は蛍光励起セルソーター（ＦＡＣＳ）を使用して測定する。
【０１１７】
さらなる実施形態において、嗅覚受容体の分子３Ｄ受容体モデリングを使用して、ｉｎ ｓｉｌｉｃｏでの結合能を評価し、そして嗅覚受容体の活性を活性化、模倣、遮断、阻害、調節、及び／又は増強しうる化合物を同定する。
【０１１８】
例えば、ゲオノール、ＤＭＴＳ、１−オクテン−３−オール、酪酸、３−メチル−２−ヘキセン酸、３−ヒドロキシ−３−メチル−ヘキサン酸又はトランスピロールによって活性化された嗅覚ニューロンは、マイクロマニピュレーターに取り付けられたガラスキャピラリー又はＦＡＣＳ機器を使用して単離される。マウス嗅覚ニューロンは、前記した手順と同様のＣａ2+画像化によってスクリーニングされる［Ｍａｌｎｉｃ， Ｂ．ら。Ｃｅｌｌ ９６， ７１３−７２３ （１９９９）；Ａｒａｎｅｄａ， Ｒ． Ｃ． ら、Ｊ． Ｐｈｙｓｉｏｌ． ５５５， ７４３−７５６ （２００４）；及び国際公開番号第２０１４／２１０５８５号、参照をもって本明細書に組み込まれたものとする］。特に、電動可動顕微鏡ステージを使用して、スクリーニングできる細胞数を実験ごとに少なくとも１５００個まで増加する。マウスにおいて約１２００個の異なる嗅覚受容体があり、かつそれぞれの嗅覚ニューロンが１２００個の嗅覚受容体遺伝子の１個のみを発現するため、このスクリーニング能力は、実質的に全体のマウスの匂い物質受容体レパートリーをカバーする。言い換えれば、ハイスループット嗅覚ニューロンスクリーニングのためのカルシウム画像化の組み合わせは、匂い物質の特定のプロフィールに応答するほぼ全ての匂い物質受容体の同定を導く。特定の態様において、ゲオノール、ＤＭＴＳ、１−オクテン−３−オール、酪酸、３−メチル−２−ヘキセン酸、３−ヒドロキシ−３−メチル−ヘキサン酸又はトランスピロールに応答する匂い物質受容体を単離することができる。例えば、少なくとも１つのニューロンが単離される。
【０１１９】
嗅覚ニューロンのカルシウム画像化のために、主な嗅覚上皮を、ニューロン解離の前にマウスから切開してよい。そして、切開された嗅上皮を、機械的及び酵素的解離のために解離緩衝液に移してよい。そして、解離したニューロンを、カバーガラスに播種して、蛍光顕微鏡による数千の細胞のスクリーニングを可能にし、そして細胞を、カルシウム感受性色素（Ｆｕｒａ−２ ＡＭ）で例えば３１℃で約３０分間ロードし、スクリーニングの準備ができた顕微鏡に移してよい。細胞は、解離した嗅覚ニューロン上で（生理食塩水中の）匂い物質の希釈溶液を灌流することにより刺激される。悪臭化合物に応答するまばらな細胞を、例えば、５０μＭの悪臭化合物で受容体を刺激し、そしてＦｕｒａ−２蛍光の変化によって示される細胞内Ｃａ2+流をモニタリングすることにより同定する。分析後に、応答している細胞を、吸引マイクロピペットを使用してガラス製カバーガラスから回収してよい。そして、単離された細胞を、１つの試料にプールするか、又は応答細胞でｍＲＮＡとして発現させた匂い物質受容体遺伝子の同定のために個別に処理する。
【０１２０】
特定の実施形態において、嗅覚ニューロンのｍＲＮＡは、Ｍａｒｋｏ， Ｎ． Ｆ．ら（（２００５）Ａ ｒｏｂｕｓｔ ｍｅｔｈｏｄ ｆｏｒ ｔｈｅ ａｍｐｌｉｆｉｃａｔｉｏｎ ｏｆ ＲＮＡ ｉｎ ｔｈｅ ｓｅｎｓｅ ｏｒｉｅｎｔａｔｉｏｎ． ＢＭＣ ｇｅｎｏｍｉｃｓ， ６， ２７； ｄｏｉ：１０．１１８６／１４７１−２１６４−６−２７（Ｅｂｅｒｗｉｎｅ法））において一般的に記載されている方法に従って精製及び増幅される。トランスクリプトームの少なくとも一部（トランスクリプトーム全体を含む）は、次世代シーケンス（ＮＧＳ）技術を使用して配列決定されるか、又はマイクロアレイ技術を使用して公知の遺伝子にハイブリダイズされる。ＮＧＳは、一般にＭｅｔｚｋｅｒ， Ｍ． Ｌ． Ｎａｔ． Ｒｅｖ． Ｇｅｎｅｔ． １１， ３１−４６ （２０１０）において議論及び記載されている。特定の実施形態において、同一の応答プロフィールを提示する最低５個のニューロンがプールされる。ｍＲＮＡは、ピッキング直後に細胞溶解により放出される；ＤＮＡｓｅ及び精製ステップは実施されない。ｍＲＮＡは、２回の連続したｉｎ ｖｉｔｒｏ転写（ＩＶＴ）によって増幅される。増幅を、ＭｅｓａｇｅＡｍｐＩＩ ａＲＮＡキット（Ａｍｂｉｏｎ、ＡＭＡ１７５１）に従って、次のパラメータ：連続１４時間のＩＶＴを２ラウンド、を使用して行ってよい。
【０１２１】
さらなる実施形態において、単一の嗅覚ニューロンのｍＲＮＡを、ＬＤ−ＰＣＲ（長距離ポリメラーゼ連鎖反応）ベースの方法、例えばＮＧＳ−ｒｅａｄｙキットにおいて記載されるもの（例えば、Ｃｌｏｎｔｅｃｈ／Ｔａｋａｒａ、シーケンス用ＳＭＡＲＴｅｒ（登録商標）Ｕｌｔｒａ（登録商標）Ｌｏｗ Ｉｎｐｕｔ ＲＮＡ Ｋｉｔ−ｖ３，ｃａｔ．６３４８４８）で精製及び増幅させる。単一細胞のｍＲＮＡを、最初に対応するｃＤＮＡに逆転写し、その後１８ ＰＣＲサイクルで増幅させ、そしてトランスクリプトームシーケンシングのためのＮＧＳ試料として提供する。
【０１２２】
さらに他の実施形態において、ゲオノール、ＤＭＴＳ、１−オクテン−３−オール、酪酸、３−メチル−２−ヘキセン酸、３−ヒドロキシ−３−メチル−ヘキサン酸又はトランスピロールについての嗅覚受容体の群又は遺伝子ファミリーの同一性を、単離された活性化嗅覚ニューロンから得られたＮＧＳリードの結果を同一種の参照ゲノム配列と比較することにより決定する（例えば、採集したニューロンの数まで）。特に、ゲオノール、ＤＭＴＳ、１−オクテン−３−オール、酪酸、３−メチル−２−ヘキセン酸、３−ヒドロキシ−３−メチル−ヘキサン酸又はトランスピロールの推定される受容体は、嗅覚ニューロン由来のＮＧＳ試料中の又は１超の独立した生物学的複製に存在する、最も豊富な嗅覚受容体ｍＲＮＡである。嗅覚コードの組み合わせの性質（１つの化合物が多くのＯＲを活性化し、かつ１つのＯＲが多くの化合物によって活性化される）のため、所与の化合物によって活性化されたいくつかのニューロンのプールは、単一のＮＧＳ実験におけるこれらの分子の知覚に関与する実質的に全ての受容体の検索を可能にする。したがって、機能的に類似したニューロンのプールは、脱オーファン化のスループット及び速度を大幅に改善する。
【０１２３】
続いて、標準的な生物情報学的ツールを使用して、相同配列受容体が同様の機能を保持しているという仮定の下で、ゲオノール、ＤＭＴＳ、１−オクテン−３−オール、酪酸、３−メチル−２−ヘキセン酸、３−ヒドロキシ−３−メチル−ヘキサン酸又はトランスピロールについて他の推定上の哺乳動物（非ヒト）受容体に最も密接に関連するヒト匂い物質受容体を同定する。いくつかの方法は、この仮定に基づいてヒトＯＲリガンド対を正しく同定し［Ａｒｍｅｌｉｎ−Ｃｏｒｒｅａ ａｎｄ Ｍａｌｎｉｃ （２０１７）］、マウス−ヒトオルソログの最大８０％が同様の機能的応答プロフィールを維持していると思われる［Ａｄｉｐｉｅｔｒｏ， Ｋ． Ａ，ら、ＰＬｏＳ Ｇｅｎｅｔ． ８， ｅ１００２８２１−ｅ１００２８２１ （２０１２）］。ＢＬＡＳＴＰ及び／又はＢＬＡＳＴＮアルゴリズムのデフォルトパラメータ、又は他のオルソログ対同定アルゴリズム、例えばＩｎＰａｒａｎｏｉｄを使用してよい。
【０１２４】
ゲオノール、ＤＭＴＳ、１−オクテン−３−オール、酪酸、３−メチル−２−ヘキセン酸、３−ヒドロキシ−３−メチル−ヘキサン酸又はトランスピロールについてのヒト又はは非ヒト哺乳動物の受容体は、嗅覚受容体の活性化を結合、抑制、遮断、阻害、及び／又は調節する化合物を同定するために使用されうる機能アッセイに適合されてよい。特に、アッセイは、細胞ベースのアッセイ又は結合アッセイであってよく、かつ化合物を同定する方法は、ハイスループットスクリーニングアッセイであってよい。より詳述すれば、本明細書において、化合物を調節すること（例えば、結合、遮断、阻害、抑制、及びマスキングすること）の発見のための化合物ライブラリーでの受容体のハイスループットスクリーニングに適応可能な受容体ベースのアッセイが提供される。
【０１２５】
特定の実施形態において、ゲオノール、ＤＭＴＳ、１−オクテン−３−オール、酪酸、３−メチル−２−ヘキセン酸、３−ヒドロキシ−３−メチル−ヘキサン酸又はトランスピロールの受容体遺伝子配列は、ゲオノール、ＤＭＴＳ、１−オクテン−３−オール、酪酸、３−メチル−２−ヘキセン酸、３−ヒドロキシ−３−メチル−ヘキサン酸又はトランスピロールに感受性のある細胞から、以下のように同定される：プールしたニューロンを、７５℃で１０分間加熱して細胞膜を破壊し、そしてそれらのｍＲＮＡを増幅に利用できるようにする。この増幅ステップは、限られた量の出発材料、典型的には１〜１５個の細胞でＮＧＳ技術を適用する場合に重要である。Ｅｂｅｒｗｉｎｅ法（ＩＶＴ）に従った線形増幅は、発現させた遺伝子の相対的な転写レベルの維持を確実にする。一晩（１４時間）で連続して２回のｉｎ ｖｉｔｒｏ転写を使用して、十分な量のｃＲＮＡを得る；そして、増幅させたｃＲＮＡを使用して、Ｉｌｌｕｍｉｎａ ＨｉＳｅｑ ｃＤＮＡライブラリーを作成する。典型的に７５〜１５０塩基対の得られた短い配列（一般に「リード」と呼ばれる）を、これらの細胞の完全なトランスクリプトームを構築するために、マウスの参照ゲノム（例えばＵＣＳＣバージョンｍｍ９又はｍｍ１０）に対して整列させる。トランスクリプトームデータの定量分析は、転写された匂い物質受容体遺伝子及びそれぞれの発現レベルのリストをもたらす。ｍＲＮＡの最も豊富なレベル（最も豊富な「リード」）を示すか又は１回超の反復実験において存在する匂い受容体遺伝子は、推定のゲオノール、ＤＭＴＳ、１−オクテン−３−オール、酪酸、３−メチル−２−ヘキセン酸、３−ヒドロキシ−３−メチル−ヘキサン酸又はトランスピロールの受容体とみなされる。
【０１２６】
次に、予測したマウスＯＲ遺伝子を使用して、マウスとヒトの双方のゲノムデータベースの最新バージョンをマイニングしてマウス（パラロガス遺伝子）及びヒト（オルソロガス遺伝子）において最も密接に関連する受容体（すなわち、最も高い配列類似性）を同定する。このプロセスを、配列類似性検索ツールであるＢＬＡＳＴ検索アルゴリズム（ＮＣＢＩ Ｗｅｂサイトで公開）を使用して実行してよく、このツールでは、初期トランスクリプトーム解析から以前に得られた全ての推定遺伝子配列を、クエリシーケンスとして使用する。このデータマイニングプロセスから同定された新たに同定された遺伝子は、パラロガス遺伝子及びオルソロガス遺伝子が同様の活性を呈する可能性が高いという仮定の下で潜在的なゲオノール、ＤＭＴＳ、１−オクテン−３−オール、酪酸、３−メチル−２−ヘキセン酸、３−ヒドロキシ−３−メチル−ヘキサン酸、又はトランスピロールの受容体であるとみなされる。特定の実施形態において、配列相同性のペアワイズ比較を実施して、マウス及びヒトにおいて密接に関連する受容体を同定し、そして国際公開番号第２０１４／２１０５８５号に記載されているように受容体を同定する。他のアプローチ、例えばＲＴ−ＰＣＲ及びマイクロアレイアプローチも使用してよい。
【０１２７】
さらなる実施形態において、脱オーファン化プロセスを完了するために、候補ＯＲ遺伝子を、使用した化合物に対する活性の確認のためにｉｎ ｖｉｔｒｏでさらに発現させて、嗅覚ニューロン及び他の構造的に関連する目的の化合物を単離する。ゲオノール、ＤＭＴＳ、１−オクテン−３−オール、酪酸、３−メチル−２−ヘキセン酸、３−ヒドロキシ−３−メチル−ヘキサン酸又はトランスピロールに応答する単離された嗅覚ニューロンから同定されたマウス受容体は、短いポリペプチド配列（例えば、ＦＬＡＧ（登録商標）タグ（配列番号４８）、Ｒｈｏタグ（配列番号５０；ウシロドプシン受容体の２０個の最初のアミノ酸）、及び／又はＬｕｃｙタグ（配列番号５２；切断可能なロイシンリッチシグナルペプチド配列）を有するそれらのＮ末端で改質され、ＨＥＫ ２９３Ｔ細胞で一過性に発現し、そしてゲオノール、ＤＭＴＳ、１−オクテン−３−オール、酪酸、３−メチル−２−ヘキセン酸、３−ヒドロキシ−３−メチル−ヘキサン酸又はトランスピロールで個別に刺激して、本物のゲオノール、ジメチルトリスルフィド（ＤＭＴＳ）、１−オクテン−３−オール、酪酸、３−メチル−２−ヘキセン酸、３−ヒドロキシ−３−メチルヘキサン酸又はトランスピロールの受容体としてのそれらの同一性を確認する。さらなる実施形態において、ＲＴＰ１遺伝子を、内因性ＲＴＰ１遺伝子の活性化によるか又は形質転換によるかにかかわらず、細胞株で発現させることもできる。この細胞ベースのアッセイでのヒトＧアルファサブユニットＧαolfの同時発現は、適切なリガンドに結合すると内部ｃＡＭＰの増加を導くＧｓ伝達経路を活性化する。或いは、細胞ベースのアッセイでのヒトＧアルファサブユニットＧα15の同時発現は、適切なリガンドに結合すると内部Ｃａ2+の増加を導くＧｑ伝達経路を活性化する。前記プロセス及びこれまでに得られた結果は、ゲオノール、ＤＭＴＳ、１−オクテン−３−オール、酪酸、３−メチル−２−ヘキセン酸、３−ヒドロキシ−３−メチル−ヘキサン酸又はトランスピロールについての哺乳動物の匂い物質受容体の迅速で信頼性の高い同定のためのプロセスを検証するために役立つ。
【０１２８】
さらに、ゲオノール、ＤＭＴＳ、１−オクテン−３−オール、酪酸、３−メチル−２−ヘキセン酸、３−ヒドロキシ−３−メチル−ヘキサン酸又はトランスピロールの匂い物質受容体に結合する化合物を同定するためのアッセイが提供される。さらなる実施形態において、ＯＲ２Ｗ１、ＯＲ１Ａ１、ＯＲ２Ｊ３、ＯＲ４Ｑ３、ＯＲ５Ｋ１、ＯＲ１１Ａ１、ＯＲ２Ｍ３、ＯＲ５１Ｅ１、ＯＲ４Ｓ２、ＯＲ５１Ｉ２、ＯＲ２Ｈ１、ＯＲ２Ｗ３、ＯＲ８Ｇ１、Ｏｌｆｒ２６３、Ｏｌｆｒ４０３、Ｏｌｆｒ７３５、Ｏｌｆｒ９６、Ｏｌｆｒ１１９３、Ｏｌｆｒ６４１、Ｏｌｆｒ１３７、Ｏｌｆｒ１７３、Ｏｌｆｒ１６４、Ｏｌｆｒ１４８７、Ｏｌｆｒ３３９、Ｏｌｆｒ１１２６、Ｏｌｆｒ５５８、Ｏｌｆｒ９３、Ｏｌｆｒ３９８、Ｏｌｆｒ１２０、Ｏｌｆｒ１３６４、Ｏｌｆｒ９３７、Ｏｌｆｒ１３２２及びＯｌｆｒ４６からなる群から選択される少なくとも１つの嗅覚受容体の活性を結合、抑制、遮断、阻害、及び／又は調節し、かつ本明細書において記載される方法により同定される悪臭調節化合物、例えば以下に記載される化合物が本明細書において提供される。
【０１２９】
一実施形態において、化合物の活性化は、ゲオノール、ＤＭＴＳ、１−オクテン−３−オール、酪酸、３−メチル−２−ヘキセン酸、３−ヒドロキシ−３−メチル−ヘキサン酸又はトランスピロールの活性化へのその結合を比較することにより測定される。他の実施形態において、ゲオノール、ＤＭＴＳ、１−オクテン−３−オール、酪酸、３−メチル−２−ヘキセン酸、３−ヒドロキシ−３−メチル−ヘキサン酸又はトランスピロールの存在下で、受容体へのゲオノール、ＤＭＴＳ、１−オクテン−３−オール、酪酸、３−メチル−２−ヘキセン酸、３−ヒドロキシ−３−メチルヘキサン酸又はトランスピロールと共に化合物の結合を可能にする条件下で、受容体又はそれらのキメラもしくは断片を化合物と接触させる。
【０１３０】
さらなる実施形態において、化合物を、ゲオノール、ＤＭＴＳ、１−オクテン−３−オール、酪酸、３−メチル−２−ヘキセン酸、３−ヒドロキシ−３−メチル−ヘキサン酸又はトランスピロールにより活性化される受容体、又はそれらのキメラもしくは断片に接触させ、受容体、又はそれらのキメラもしくは断片を、受容体ポリペプチドを発現するように組換えにより改質した細胞で発現させる。
【０１３１】
化合物の活性を、ｉｎ ｖｉｖｏ、ｅｘ ｖｉｖｏ、ｉｎ ｖｉｔｒｏ及び合成スクリーニングシステムを使用して測定できる。
【０１３２】
他の実施形態において、接触を、本明細書において記載したポリペプチドを含むリポソーム又はウイルス誘発性出芽膜で実施する。
【０１３３】
他の実施形態において、ゲオノール、ＤＭＴＳ、１−オクテン−３−オール、酪酸、３−メチル−２−ヘキセン酸、３−ヒドロキシ−３−メチル−ヘキサン酸又はトランスピロールによって活性化されうる嗅覚受容体の活性を結合、抑制、遮断、阻害、及び／又は調節する化合物を同定するための方法を、無傷の細胞で又は本明細書に記載されるポリペプチドを発現している細胞からの膜画分で実施してよい。
【０１３４】
したがって、本明細書において記載されるＯＲは、ゲオノール、ＤＭＴＳ、１−オクテン−３−オール、酪酸、３−メチル−２−ヘキセン酸、３−ヒドロキシ−３−メチル−ヘキサン酸又はトランスピロールによって誘発される悪臭の知覚に関与し、かつランドリーの悪臭、カビの悪臭、及び／又は汗の悪臭の知覚を調節、低減、抑制、阻害、及び／又は遮断する調節剤、アンタゴニスト、及び／又はブロッカーの同定のための価値のある候補受容体を構築する。
【０１３５】
本発明に従って適用可能なポリペプチド
本発明は、本明細書において具体的に記載されるポリペプチドの「機能的等価物」又は「アナログ」又は「機能的変異」に関する。
【０１３６】
例えば、「機能的等価物」は、ＯＲ活性のために使用した試験において、本明細書において定義されるように、少なくとも１〜１０％、又は少なくとも２０％、又は少なくとも５０％、又は少なくとも７５％又は少なくとも９０％高いか又は低いＯＲ活性を示すポリペプチドをいう。
【０１３７】
本発明による「機能的等価物」は、本明細書において挙げたアミノ酸配列の少なくとも１つの配列位置において、具体的に挙げたアミノ酸とは異なるが前述の生物学的活性の１つを呈するアミノ酸を有する特定の変異体も包含する。したがって、「機能的等価物」は、１個以上、例えば１〜２０個、１〜１５個又は５〜１０個のアミノ酸の追加、置換、特に保存的置換、欠失及び／又は逆位によって得られる変異体を含み、挙げた変化は、本発明による特性のプロフィールを有する変異体を導く限り、任意の配列位置で起こりうる。機能的等価物は、特に、活性パターンが変異体と未変化のポリペプチドとの間で定性的に一致する場合、すなわち、例えば同一のアゴニスト又はアンタゴニストとの相互作用が異なる速度である場合（すなわち、ＥＣ50又はＩＣ50値で表されるか、又は本技術分野に適した他のパラメータにより表される場合）にも提供される。適した（保存的）アミノ酸置換の例を次の表に示す：
【化１】
2021504673.tif 000005
【０１３８】
前記の意味での「機能的等価物」は、記載したポリペプチドの「前駆体」、並びにポリペプチドの「機能的誘導体」及び「塩」でもある。
【０１３９】
「前駆体」は、その場合、所望の生物学的活性を有するか又は有さないポリペプチドの天然又は合成の前駆体である。
【０１４０】
「塩」という表現は、本発明によるタンパク質分子のカルボキシル基の塩及びアミノ基の酸付加の塩を意味する。カルボキシル基の塩は、公知の方法で生成されてよく、無機塩、例えばナトリウム、カルシウム、アンモニウム、鉄及び亜鉛塩、並びに有機塩基との塩、例えばアミン、例えばトリエタノールアミン、アルギニン、リジン、ピペリジン等との塩を含む。酸付加の塩、例えば無機酸、例えば塩酸又は硫酸との塩、及び有機酸、例えば酢酸及びシュウ酸との塩も本発明に含まれる。
【０１４１】
本発明によるポリペプチドの「機能的誘導体」は、公知の技術を使用して、機能的アミノ酸の側鎖基上又はそれらのＮ末端もしくはＣ末端で生成されてもよい。かかる誘導体は、例えば、カルボン酸基の脂肪族エステル、アンモニアとの又は第一級もしくは第二級アミンとの反応によって得られるカルボン酸基のアミド；アシル基との反応によって生成される遊離アミノ基のＮ−アシル誘導体；又はアシル基との反応によって生成される遊離ヒドロキシル基のＯ−アシル誘導体を含む。
【０１４２】
「機能的等価物」は、当然、他の生物から得られるポリペプチド、及び天然に生じるバリアントも含む。例えば、相同配列領域の範囲は、配列比較により確立されてよく、かつ等価物ポリペプチドは、本発明の具体的なパラメータに基づいて決定されてよい。
【０１４３】
「機能的等価物」は、例えば所望の生物学的機能を示す、本発明によるポリペプチドの断片、好ましくは個々のドメイン又は配列モチーフも含む。
【０１４４】
「機能的等価物」は、さらに、本明細書において挙げたポリペプチド配列又はそれに由来する機能的等価物の１つ及び機能的なＮ末端又はＣ末端会合における少なくとも１つのさらに機能的に異なる異種配列を有する融合タンパク質である（すなわち融合タンパク質部分の実質的な相互機能障害を有さない）。これらの異種配列の限定されない例は、例えばシグナルペプチド、ヒスチジンアンカー又は酵素である。
【０１４５】
同様に本発明に従って含まれる「機能的等価物」は、具体的に開示されたポリペプチドの相同体である。これらは、Ｐｅａｒｓｏｎ及びＬｉｐｍａｎのアルゴリズム（Ｐｒｏｃ． Ｎａｔｌ． Ａｃａｄ， Ｓｃｉ． （ＵＳＡ） ８５（８）， １９８８， ２４４４−２４４８）によって計算して、具体的に開示されたアミノ酸配列の１つに対して、少なくとも６０％、好ましくは少なくとも７５％、特に少なくとも８０％又は８５％、例えば９０％、９１％、９２％、９３％、９４％、９５％、９６％、９７％、９８％又は９９％の相同性（又は同一性）を有する。本発明による相同ポリペプチドのパーセンテージとして表される相同性又は同一性は、特に、本明細書において具体的に記載されるアミノ酸配列の１つの全長に基づくアミノ酸残基のパーセンテージとして表される同一性を意味する。
【０１４６】
パーセンテージとして表される同一性のデータは、ＢＬＡＳＴアライメント、アルゴリズムｂｌａｓｔｐ（タンパク質−タンパク質ＢＬＡＳＴ）を利用して、又は本明細書において以下に規定されるＣｌｕｓｔａｌ設定を適用することによって決定してもよい。
【０１４７】
可能なタンパク質グリコシル化の場合に、本発明による「機能的等価物」は、脱グリコシル化又はグリコシル化の形態で、及びグリコシル化パターンを変更することによって得られる改変した形態で本明細書において記載されるポリペプチドを含む。
【０１４８】
本発明によるポリペプチドのかかる機能的等価物又は相同体は、変異誘発によって、例えばタンパク質の点変異、伸長もしくは短縮によって、又は以下でより詳細に記載されるように生成されうる。
【０１４９】
本発明によるポリペプチドのかかる機能的等価物又は相同体は、変異体の、例えば短縮変異体のコンビナトリアルデータベースをスクリーニングすることにより同定されうる。例えば、タンパク質バリアントの多様なデータベースは、核酸レベルでのコンビナトリアル変異誘発によって、例えば合成オリゴヌクレオチドの混合物の酵素によるライゲーションによって生成されうる。縮重オリゴヌクレオチド配列から潜在的な相同体のデータベースの生成のために使用できる非常に多くの方法がある。縮重遺伝子配列の化学合成を自動ＤＮＡシンセサイザーで実施してよく、そして合成遺伝子を適した発現ベクターに連結させてよい。縮重ゲノムの使用は、混合物中で全ての配列を提供することを可能にし、潜在的なタンパク質配列の所望のセットをコードする。縮重オリゴヌクレオチドの合成方法は、当業者に公知である（例えば、Ｎａｒａｎｇ， Ｓ．Ａ．（１９８３）；Ｉｔａｋｕｒａら（１９８４）（ａ）；Ｉｔａｋｕｒａら（１９８４）（ｂ）；Ｉｋｅら（１９８３））。
【０１５０】
先行技術において、点変異又は短縮によって生成されたコンビナトリアルデータベースの遺伝子産物のスクリーニングのための、及び選択された特性を有する遺伝子産物のｃＤＮＡライブラリーのスクリーニングのためのいくつかの技術が公知である。これらの技術は、本発明による相同体のコンビナトリアル変異誘発によって生成された遺伝子バンクの迅速なスクリーニングに適応されうる。ハイスループット分析に基づいた大規模な遺伝子バンクのスクリーニングについて最も頻繁に使用される技術は、複製できる発現ベクターでの遺伝子バンクのクローニング、得られたベクターデータベースでの適した細胞の形質転換、及び所望の活性の検出が生成物を検出した遺伝子をコードするベクターの単離を促進する条件下での組み合わせ遺伝子の発現を含む。データベースにおける機能的変異体の頻度を増加させる技術である再帰的アンサンブル変異（ＲＥＭ）は、相同体を同定するためにスクリーニング試験と組み合わせて使用できる（Ａｒｋｉｎ及びＹｏｕｒｖａｎ（１９９２）；Ｄｅｌｇｒａｖｅら（１９９３））。
【０１５１】
本発明に従って適用可能なコード核酸配列
本発明は、本明細書において定義したポリペプチドをコードする核酸配列にも関する。
【０１５２】
本発明は、本明細書において具体的に開示した配列とある程度の「同一性」を有する核酸にも関する。２つの核酸間の「同一性」は、それぞれの場合において核酸の全長にわたる、ヌクレオチドの同一性を意味する。
【０１５３】
例えば、同一性を、Ｃｌｕｓｔａｌ Ｍｅｔｈｏｄ（Ｈｉｇｇｉｎｓ ＤＧ、Ｓｈａｒｐ ＰＭ．（１９８９））を使用するＩｎｆｏｒｍａｘ社（ＵＳＡ）のＶｅｃｔｏｒ ＮＴＩ Ｓｕｉｔｅ ７．１プログラムによって以下の設定で計算してよい：
【化２】
2021504673.tif 000006
【０１５４】
代わりに、同一性を、Ｃｈｅｎｎａら（２００３）のｗｅｂページ：http://www.ebi.ac.uk/Tools/clustalw/index.html#に従って、及び以下の設定で測定してよい：
【化３】
2021504673.tif 000007
【０１５５】
本明細書において挙げた全ての核酸配列（一本鎖及び二本鎖のＤＮＡ及びＲＮＡ配列、例えばｃＤＮＡ及びｍＲＮＡ）は、ヌクレオチド構成要素からの化学合成によって、例えば、二重らせんの個々の重複する相補的な核酸構成要素の断片縮重によって公知の方法で生成されうる。オリゴヌクレオチドの化学合成は、例えば、亜リン酸アミダイト法（Ｖｏｅｔ， Ｖｏｅｔ， ２ｎｄ ｅｄｉｔｉｏｎ， Ｗｉｌｅｙ Ｐｒｅｓｓ， Ｎｅｗ Ｙｏｒｋ， ｐａｇｅｓ ８９６−８９７）によって公知の方法で実施されうる。合成オリゴヌクレオチドの蓄積及びＤＮＡポリメラーゼのＫｌｅｎｏｗ断片及びライゲーション反応によるギャップの充填、並びに一般的なクローニング技術は、Ｓａｍｂｒｏｏｋら（１９８９）において記載されている（以下を参照されたい）。
【０１５６】
本発明は、例えば人工ヌクレオチド類似体を使用して得られた前記ポリペプチド及びそれらの機能的等価物の１つをコードする核酸配列（一本鎖及び二本鎖ＤＮＡ及びＲＮＡ配列、例えばｃＤＮＡ及びｍＲＮＡ）にも関する。
【０１５７】
本発明は、本発明によるポリペプチド又はそれらの生物学的に活性のあるセグメントをコードする単離された核酸分子、及び例えば本発明によるコード核酸を同定又は増幅するためのハイブリダイゼーションプローブ又はプライマーとして使用できる核酸断片の双方に関する。
【０１５８】
本発明による核酸分子は、さらに、コード遺伝子領域の３’末端及び／又は５’末端からの非翻訳配列を含みうる。
【０１５９】
本発明は、さらに、具体的に記載されたヌクレオチド配列又はそのセグメントに相補的である核酸分子に関する。
【０１６０】
本発明によるヌクレオチド配列は、他の細胞型及び生物における相同配列の同定及び／又はクローニングのために使用できるプローブ及びプライマーの生成を可能にする。かかるプローブ又はプライマーは、一般的に、本発明による核酸配列のセンス鎖又は対応するアンチセンス鎖の少なくとも約１２個、好ましくは少なくとも約２５個、例えば約４０個、５０個又は７５個の連続したヌクレオチドで「ストリンジェント」な条件下（下記参照）でハイブリダイズするヌクレオチド配列領域を含む。
【０１６１】
「単離された」核酸分子は、核酸の天然源に存在する他の核酸分子から分離され、さらに、組換え技術により生成される場合に他の細胞材料又は培地を実質的に有さなくてよく、又は化学的に合成されている場合には、化学前駆体又は他の化学物質を有さなくてよい。
【０１６２】
本発明による核酸分子は、分子生物学の標準技術及び本発明に従って提供される配列情報によって単離されうる。例えば、ｃＤＮＡを、具体的に開示された全配列の１つ又はそのセグメントをハイブリダイゼーションプローブ及び標準ハイブリダイゼーション技術（例えばＳａｍｂｒｏｏｋ（１９８９）において記載される）として使用して、適したｃＤＮＡライブラリーから単離することができる。さらに、開示された配列の１つ又はそのセグメントを含む核酸分子は、この配列に基づいて構築されたオリゴヌクレオチドプライマーを使用して、ポリメラーゼ連鎖反応により単離されうる。こうして増幅させた核酸は、適したベクター中にクローニングされ、かつＤＮＡシーケンシングによって特徴付けられる。本発明によるオリゴヌクレオチドは、標準的な合成方法によって、例えば自動ＤＮＡシンセサイザーを使用しても生成されうる。
【０１６３】
本発明による核酸配列又はそれらの誘導体、それらの配列の相同体又は一部は、例えば、通常のハイブリダイゼーション技術又は他の細菌からのＰＣＲ技術によって、例えばゲノム又はｃＤＮＡライブラリーを解して単離されうる。これらのＤＮＡ配列は、標準の条件下で本発明による配列とハイブリダイズする。
【０１６４】
「ハイブリダイズする」は、標準条件でほとんど相補的な配列に結合するポリヌクレオチド又はオリゴヌクレオチドの能力を意味するが、非特異的結合は、これらの条件下で非相補的パートナー間では生じない。このため、配列は９０〜１００％相補的であってよい。互いに特異的に結合できる相補配列の特性は、例えばノーザンブロット又はサザンブロット法で、又はＰＣＲもしくはＲＴ−ＰＣＲにおけるプライマー結合で利用される。
【０１６５】
保存された領域の短いオリゴヌクレオチドは、有利にはハイブリダイゼーションのために使用される。しかしながら、本発明による核酸のより長い断片又はハイブリダイゼーションのための全配列を使用することも可能である。これらの標準条件は、使用される核酸に依存して（オリゴヌクレオチド、より長い断片又は全配列）、又はハイブリダイゼーションのために使用される核酸のタイプ（ＤＮＡ又はＲＮＡ）に依存して変化する。例えば、ＤＮＡ：ＤＮＡハイブリッドについての融解温度は、同一の長さのＤＮＡ：ＲＮＡハイブリッドよりも約１０℃低い。
【０１６６】
例えば、特定の核酸に依存して、標準条件は、０．１〜５×ＳＳＣ（１×ＳＳＣ＝０．１５Ｍ  ＮａＣｌ、１５ｍＭクエン酸ナトリウム、ｐＨ７．２）の濃度での緩衝水溶液中で又はさらに５０％ホルムアミドの存在下で４２〜５８℃の温度、例えば５×ＳＳＣ、５０％ホルムアミド中で４２℃を意味する。有利には、ＤＮＡ：ＤＮＡハイブリッドのハイブリダイゼーション条件は、０．１×ＳＳＣであり、かつ温度は約２０℃〜４５℃、好ましくは約３０℃〜４５℃である。ＤＮＡ：ＲＮＡハイブリッドについてのハイブリダイゼーション条件は、有利には０．１×ＳＳＣであり、かつ温度は約３０℃〜５５℃、好ましくは約４５℃〜５５℃である。ハイブリダイゼーションのこれらの前記温度は、ホルムアミドの非存在下で、約１００ヌクレオチドの長さ及び５０％のＧ＋Ｃ含有量を有する核酸について計算した溶融温度値の例である。ＤＮＡハイブリダイゼーションの実験条件は、関連する遺伝学の教科書、例えばＳａｍｂｒｏｏｋら（１９８９）において記載されており、かつ例えば核酸の長さ、ハイブリッドのタイプ又はＧ＋Ｃ含有量に依存して、当業者に公知である式を使用して計算されうる。当業者は、以下の教科書からハイブリダイゼーションに関するさらなる情報を得られる：Ａｕｓｕｂｅｌら（ｅｄｓ）（１９８５）、Ｂｒｏｗｎ（ｅｄ）（１９９１）。
【０１６７】
「ハイブリダイゼーション」は、特に、厳しい条件下で実施されうる。かかるハイブリダイゼーション条件は、例えば、Ｓａｍｂｒｏｏｋ（１９８９）において、又はＣｕｒｒｅｎｔ Ｐｒｏｔｏｃｏｌｓ ｉｎ Ｍｏｌｅｃｕｌａｒ Ｂｉｏｌｏｇｙ，Ｊｏｈｎ Ｗｉｌｅｙ＆Ｓｏｎｓ，ＮＹ（１９８９），６．３．１−６．３．６において記載されている。
【０１６８】
本明細書において使用されるように、特定の条件下でのハイブリダイゼーション又はハイブリダイズという用語は、互いに有意に同一又は相同であるヌクレオチド配列が互いに結合したままであるハイブリダイゼーション及び洗浄の条件をいうことを意図している。前記条件は、少なくとも約７０％、例えば少なくとも約８０％、及び少なくとも約８５％、９０％、又は９５％同一である配列が互いに結合したままである条件であってよい。低いストリンジェンシー、中程度、及び高いストリンジェンシーのハイブリダイゼーション条件の定義を本明細書において提供する。
【０１６９】
適切なハイブリダイゼーション条件は、Ａｕｓｕｂｅｌら（１９９５， Ｃｕｒｒｅｎｔ Ｐｒｏｔｏｃｏｌｓ ｉｎ Ｍｏｌｅｃｕｌａｒ Ｂｉｏｌｏｇｙ， Ｊｏｈｎ Ｗｉｌｅｙ ＆ Ｓｏｎｓ， ｓｅｃｔｉｏｎｓ ２、４、及び６）において説明されているような最小の実験で当業者により選択されうる。さらに、ストリンジェンシーな条件は、Ｓａｍｂｒｏｏｋら（１９８９， Ｍｏｌｅｃｕｌａｒ Ｃｌｏｎｉｎｇ：Ａ Ｌａｂｏｒａｔｏｒｙ Ｍａｎｕａｌ， ２ｎｄ ｅｄ．， Ｃｏｌｄ Ｓｐｒｉｎｇ Ｈａｒｂｏｒ Ｐｒｅｓｓ， ｃｈａｐｔｅｒｓ ７、９及び１１）において記載されている。
【０１７０】
本明細書において使用されるように、低いストリンジェンシーの定義された条件は以下である。ＤＮＡを含むフィルターを、３５％ホルムアミド、５×ＳＳＣ、５０ｍＭ Ｔｒｉｓ−ＨＣｌ（ｐＨ７．５）、５ｍＭ ＥＤＴＡ、０．１％ＰＶＰ、０．１％Ｆｉｃｏｌｌ、１％ＢＳＡ、及び５００μｇ／ｍｌ変性サケ精子ＤＮＡを含む溶液中で６時間４０℃で前処理する。ハイブリダイゼーションを、同一の溶液中で次の変更を加えて実施する：０．０２％ＰＶＰ、０．０２％Ｆｉｃｏｌｌ、０．２％ＢＳＡ、１００μｇ／ｍｌサケ精子ＤＮＡ、１０％（ｗｔ／ｖｏｌ）デキストランスルフェート、及び５〜２０×１０６ ３２Ｐ標識プローブを使用する。フィルターをハイブリダイゼーション混合物中で４０℃で１８〜２０時間インキュベートし、そして５５℃で１．５時間洗浄する。２×ＳＳＣ、２５ｍＭ Ｔｒｉｓ−ＨＣｌ（ｐＨ７．４）、５ｍＭ ＥＤＴＡ、及び０．１％ＳＤＳを含む溶液中で。洗浄溶液を新たな溶液に交換し、さらに６０℃で１．５時間インキュベートする。フィルターを吸い取って乾かし、オートラジオグラフィーのためにさらす。
【０１７１】
本明細書において使用されるように、中程度のストリンジェンシーの定義された条件は以下である。ＤＮＡを含むフィルターを、３５％ホルムアミド、５×ＳＳＣ、５０ｍＭ Ｔｒｉｓ−ＨＣｌ（ｐＨ７．５）、５ｍＭ ＥＤＴＡ、０．１％ＰＶＰ、０．１％Ｆｉｃｏｌｌ、１％ＢＳＡ、及び５００μｇ／ｍｌ変性サケ精子ＤＮＡを含む溶液中で７時間５０℃で前処理する。ハイブリダイゼーションを、同一の溶液中で次の変更を加えて実施する：０．０２％ＰＶＰ、０．０２％Ｆｉｃｏｌｌ、０．２％ＢＳＡ、１００μｇ／ｍｌサケ精子ＤＮＡ、１０％（ｗｔ／ｖｏｌ）デキストランスルフェート、及び５〜２０×１０６ ３２Ｐ標識プローブを使用する。フィルターをハイブリダイゼーション混合物中で５０℃で３０時間インキュベートし、そして５５℃で１．５時間洗浄する。２×ＳＳＣ、２５ｍＭ Ｔｒｉｓ−ＨＣｌ（ｐＨ７．４）、５ｍＭ ＥＤＴＡ、及び０．１％ＳＤＳを含む溶液中で。洗浄溶液を新たな溶液に交換し、さらに６０℃で１．５時間インキュベートする。フィルターを吸い取って乾かし、オートラジオグラフィーのためにさらす。
【０１７２】
本明細書において使用されるように、高いストリンジェンシーの定義された条件は以下である。ＤＮＡを含むフィルターのプレハイブリダイゼーションを、６×ＳＳＣ、５０ｍＭ Ｔｒｉｓ−ＨＣｌ（ｐＨ７．５）、１ｍＭ ＥＤＴＡ、０．０２％ＰＶＰ、０．０２％Ｆｉｃｏｌｌ、０．０２％ＢＳＡ、及び５００μｇ／ｍｌ変性サケ精子ＤＮＡから構成される緩衝液中で８時間〜一晩６５℃で実施する。フィルターを、１００μｇ／ｍｌの変性サケ精子ＤＮＡ及び５〜２０×１０６ｃｐｍの３２Ｐ標識プローブを含むプレハイブリダイゼーション混合液中で６５℃で４８時間ハイブリダイズする。フィルターの洗浄を、２×ＳＳＣ、０．０１％ＰＶＰ、０．０１％Ｆｉｃｏｌｌ、及び０．０１％ＢＳＡを含む溶液中で３７℃で１時間実施する。続いて、５０℃で０．１×ＳＳＣで４５分間洗浄する。
【０１７３】
当該技術分野で周知の低い、中程度、及び高いストリンジェンシーの他の条件（例えば、種間ハイブリダイゼーションに使用される）を、前記条件が不適切な場合（例えば、種間ハイブリダイゼーションに使用される場合）に使用してよい。
【０１７４】
本発明は、具体的に開示された核酸配列又は誘導可能な核酸配列の誘導体にも関する。
【０１７５】
したがって、本発明によるさらなる核酸配列は、本明細書において具体的に開示された配列に由来してよく、かつ個々のヌクレオチド又はいくつかのヌクレオチドの付加、置換、挿入又は欠失によってそれとは異なり、さらに所望の特性のプロフィールを有するポリペプチドをコードしてよい。
【０１７６】
本発明は、特別な原生物又は宿主生物、及び天然に生じるそれらのバリアント、例えばスプライシングバリアント又はアレルバリアントのコドン使用に従って、具体的に挙げられた配列と比較して、いわゆるサイレント変異を含むか又は変更されている核酸配列も包含する。
【０１７７】
保存的ヌクレオチド置換（すなわち、問題のアミノ酸が、同一の電荷、サイズ、極性、及び／又は溶解性のアミノ酸に置き換えられること）によって得られる配列にも関する。
【０１７８】
本発明は、配列多型により具体的に開示された核酸に由来する分子にも関する。これらの遺伝子多型は、自然なバリエーションにより集団内の個々の間に存在しうる。これらの自然なバリエーションは、通常、遺伝子のヌクレオチド配列において１〜５％の変動を生じる。
【０１７９】
本発明による核酸配列の誘導体は、例えば、誘導されたアミノ酸のレベルで少なくとも６０％の相同性、好ましくは全配列範囲にわたって少なくとも８０％の相同性、非常に特に好ましくは少なくとも９０％の相同性を有するアレルバリアントを意味する（アミノ酸レベルでの相同性に関しては、ポリペプチドについて前記で提供した詳細を参照されたい）。有利には、相同性は、配列の部分領域よりも高くあってよい。
【０１８０】
さらに、誘導体は、本発明による核酸配列の相同体、例えば、動物、植物、真菌又は細菌の相同体、短縮配列、コーディング及び非コーディングＤＮＡ配列の一本鎖ＤＮＡ又は一本鎖ＲＮＡであると理解されるべきでもある。例えば、相同体は、ＤＮＡレベルで、本明細書において具体的に開示された配列における所与のＤＮＡ領域全体にわたって、少なくとも４０％、好ましくは少なくとも６０％、特に好ましくは少なくとも７０％、非常に特に好ましくは少なくとも８０％の相同性を有する。
【０１８１】
さらに、誘導体は、例えば、プロモーターとの融合物であると理解されるべきである。挙げられたヌクレオチド配列に付加されるプロモーターは、少なくとも１つのヌクレオチド交換、少なくとも１つの挿入、反転及び／又は欠失によって改質されてよいが、プロモーターの機能性又は効率を損なうことはない。さらに、プロモーターの効率は、それらの配列を変更することにより高められてよく、又は異なる属の生物であってもより効率的なプロモーターと完全に交換することができる。
【０１８２】
機能性ポリペプチド変異体の生成
さらに、当業者は、配列番号２、４、６、８、１０、１２、１４、１６、１８、２０、２２、２４、２６、２８、３０、３２、３４、３６、３８、４０、４２、４４、４６、５７、５９、６１、６３、６５、６７、６９、７１、７３、又は７５のいずれかに対して、少なくとも８０％、８１％、８２％、８３％、８４％、８５％、８６％、８７％、８８％、８９％、９０％、９１％、９２％、９３％、９４％、９５％、９６％、９７％、９８％又は９９％の配列同一性を有するポリペプチドをコードするヌクレオチド配列であるか、及び／又は配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４、又はそれらの逆相補体に対して少なくとも７０％の配列同一性を有するヌクレオチド配列を含む核酸分子によりコードされる、機能的変異体を生じるための方法を熟知している。
【０１８３】
使用される技術に依存して、当業者は、遺伝子又は非コード核酸領域（例えば発現を改変するために重要である）に完全にランダム変異又はより指向性のある変異を導入し、続いて遺伝子ライブラリーを生成することができる。この目的のために必要な分子生物学の方法は、当業者に公知であり、例えば、Ｓａｍｂｒｏｏｋ及びＲｕｓｓｅｌｌ（Ｍｏｌｅｃｕｌａｒ Ｃｌｏｎｉｎｇ． ３ｒｄ Ｅｄｉｔｉｏｎ， Ｃｏｌｄ Ｓｐｒｉｎｇ Ｈａｒｂｏｒ Ｌａｂｏｒａｔｏｒｙ Ｐｒｅｓｓ ２００１）において記載されている。
【０１８４】
遺伝子を改変するため方法、したがって遺伝子によってコードされるポリペプチドを改変する方法は、例えば以下のように、長い間当業者に公知である：
−  遺伝子の個々のヌクレオチド又はいくつかのヌクレオチドが指定された方法で置換される部位特異的変異誘発（Ｔｒｏｗｅｒ ＭＫ （Ｅｄ．） １９９６； Ｉｎ ｖｉｔｒｏ ｍｕｔａｇｅｎｅｓｉｓ ｐｒｏｔｏｃｏｌｓ． Ｈｕｍａｎａ Ｐｒｅｓｓ， Ｎｅｗ Ｊｅｒｓｅｙ）、
−  任意のアミノ酸のコドンを遺伝子の任意の箇所で交換又は付加できる飽和変異誘発（Ｋｅｇｌｅｒ−Ｅｂｏ ＤＭ， Ｄｏｃｋｔｏｒ ＣＭ， ＤｉＭａｉｏ Ｄ （１９９４） Ｎｕｃｌｅｉｃ Ａｃｉｄｓ Ｒｅｓ ２２：１５９３； Ｂａｒｅｔｔｉｎｏ Ｄ， Ｆｅｉｇｅｎｂｕｔｚ Ｍ， Ｖａｌｃａｒｅｌ Ｒ， Ｓｔｕｎｎｅｎｂｅｒｇ ＨＧ （１９９４） Ｎｕｃｌｅｉｃ Ａｃｉｄｓ Ｒｅｓ ２２：５４１； Ｂａｒｉｋ Ｓ （１９９５） Ｍｏｌ Ｂｉｏｔｅｃｈｎｏｌ ３：１）、
−  エラープローンＤＮＡポリメラーゼによりヌクレオチド配列を変異させるエラープローンポリメラーゼ連鎖反応（Ｅｃｋｅｒｔ ＫＡ， Ｋｕｎｋｅｌ ＴＡ （１９９０） Ｎｕｃｌｅｉｃ Ａｃｉｄｓ Ｒｅｓ １８：３７３９）；
−  好ましい変換をポリメラーゼにより妨げるＳｅＳａＭ法（配列飽和法）、Ｓｃｈｅｎｋら（Ｂｉｏｓｐｅｋｔｒｕｍ， Ｖｏｌ． ３， ２００６， ２７７−２７９）、
−  例えばＤＮＡ修復機構の欠陥によりヌクレオチド配列の変異率が増加する、変異誘発株における遺伝子の継代（Ｇｒｅｅｎｅｒ Ａ， Ｃａｌｌａｈａｎ Ｍ， Ｊｅｒｐｓｅｔｈ Ｂ （１９９６） Ａｎ ｅｆｆｉｃｉｅｎｔ ｒａｎｄｏｍ ｍｕｔａｇｅｎｅｓｉｓ ｔｅｃｈｎｉｑｕｅ ｕｓｉｎｇ ａｎ Ｅ．ｃｏｌｉ ｍｕｔａｔｏｒ ｓｔｒａｉｎ． Ｉｎ： Ｔｒｏｗｅｒ ＭＫ （Ｅｄ．） Ｉｎ ｖｉｔｒｏ ｍｕｔａｇｅｎｅｓｉｓ ｐｒｏｔｏｃｏｌｓ． Ｈｕｍａｎａ Ｐｒｅｓｓ， Ｎｅｗ Ｊｅｒｓｅｙ）、又は
−  密接に関連する遺伝子のプールを形成して消化し、そしてその断片を、反復鎖分離及び再結合により全長モザイク遺伝子を最終的に生成するポリメラーゼ連鎖反応のための鋳型として使用する、ＤＮＡシャッフリング（Ｓｔｅｍｍｅｒ ＷＰＣ （１９９４） Ｎａｔｕｒｅ ３７０：３８９； Ｓｔｅｍｍｅｒ ＷＰＣ （１９９４） Ｐｒｏｃ Ｎａｔｌ Ａｃａｄ Ｓｃｉ ＵＳＡ ９１：１０７４７）。
【０１８５】
いわゆる定向進化（とりわけ、Ｒｅｅｔｚ ＭＴ及びＪａｅｇｅｒ Ｋ−Ｅ （１９９９）， Ｔｏｐｉｃｓ Ｃｕｒｒ Ｃｈｅｍ ２００：３１； Ｚｈａｏ Ｈ， Ｍｏｏｒｅ ＪＣ， Ｖｏｌｋｏｖ ＡＡ， Ａｒｎｏｌｄ ＦＨ （１９９９）， Ｍｅｔｈｏｄｓ ｆｏｒ ｏｐｔｉｍｉｚｉｎｇ ｉｎｄｕｓｔｒｉａｌ ｐｏｌｙｐｅｐｔｉｄｅｓ ｂｙ ｄｉｒｅｃｔｅｄ ｅｖｏｌｕｔｉｏｎ， Ｉｎ： Ｄｅｍａｉｎ ＡＬ， Ｄａｖｉｅｓ ＪＥ （Ｅｄ．） Ｍａｎｕａｌ ｏｆ ｉｎｄｕｓｔｒｉａｌ ｍｉｃｒｏｂｉｏｌｏｇｙ ａｎｄ ｂｉｏｔｅｃｈｎｏｌｏｇｙ． Ａｍｅｒｉｃａｎ Ｓｏｃｉｅｔｙ ｆｏｒ Ｍｉｃｒｏｂｉｏｌｏｇｙにおいて記載される）を使用して、当業者は、機能的な変異体を指示された方法で大規模に生産できる。この目的のために、最初のステップで、それぞれのポリペプチドの遺伝子ライブラリーを、例えば前記方法を使用して最初に生成する。遺伝子ライブラリーを、例えば細菌によって又はファージディスプレイシステムによって、適した方法で発現させる。
【０１８６】
所望の特性に十分に対応する特性を有する機能的変異体を発現する宿主生物の関連遺伝子は、他の変異サイクルに従ってよい。変異及び選択又はスクリーニングのステップは、存在する機能的変異体が十分な程度まで所望の特性を有するまで反復して繰り返えされうる。この反復手順を使用して、制限された数の変異、例えば１、２、３、４、又は５つの変異を段階的に実施し、問題の活性に対する影響について評価及び選択してよい。選択された変異体は、同一の方法でさらなる変異ステップに送られる。これにより、調査されるべき個々の変異体の数を著しく減らすことができる。
【０１８７】
本発明に従った結果は、関連するポリペプチドの構造及び配列に関する重要な情報も提供し、これは、標的とされる方法で、所望の改変した特性を有するさらなるポリペプチドを生じるために必要である。特に、いわゆる「ホットスポット」、すなわち標的変異を導入することにより特性を改変するために潜在的に適している配列セグメントを定義することが可能である。
【０１８８】
アミノ酸配列の位置に関する情報も推定でき、その領域では、おそらく活性にほとんど影響を及ぼさないであろう変異が生じ、潜在的な「サイレント変異」として設計されうる。
【０１８９】
本発明のポリペプチドを生成するための構築物
前記ヌクレオチド配列は、発現カセットの一部であってよい。発現カセット及び発現構築物という用語は、同義的に使用される。好ましくは組換え発現構築物は、本発明によるポリペプチドをコードし、調節核酸配列の遺伝的制御下にあるヌクレオチド配列を含む。
【０１９０】
本発明に従って適用されるプロセスにおいて、発現カセットは、発現ベクター、特に組換え発現ベクターの一部であってよい。
【０１９１】
「発現ユニット」は、本発明に従って、本明細書において定義されるプロモーターを含み、発現されるべき核酸又は遺伝子と機能的に結合した後に発現を調節する発現活性、すなわち前記核酸又は前記遺伝子の転写及び翻訳を有する核酸を意味すると理解される。したがって、これに関連して、「調節核酸配列」ともいう。プロモーターに加えて、他の調節エレメント、例えばエンハンサーも存在してよい。
【０１９２】
「発現カセット」又は「発現構築物」は、本発明に従って、発現されるべき核酸又は発現されべき遺伝子に機能的に連結させた発現ユニットを意味すると理解される。したがって、発現ユニットとは対照的に、発現カセットは、転写及び翻訳を調節する核酸配列だけでなく、転写及び翻訳の結果物としてタンパク質として発現されるべき核酸配列も含む。
【０１９３】
「発現」又は「過剰発現」という用語は、本発明の記載内容において、対応するＤＮＡによってコードされる微生物中の１つ以上のポリペプチドの細胞内活性の生成又は増加を表す。この目的のために、例えば、生物に遺伝子を導入する、既存の遺伝子を他の遺伝子で置き換える、遺伝子のコピー数を増やす、強力なプロモーターを使用する、又は高い活性を有する対応するポリペプチドをコードする遺伝子を使用することが可能であり、任意に、これらの測定を組み合わせることができる。
【０１９４】
好ましくは、本発明によるかかる構築物は、それぞれのコード配列の５’−上流のプロモーター及び３’−下流のターミネーター配列、及び任意に他の通常の調節エレメントを含み、それぞれの場合にコード配列と機能的に連結する。
【０１９５】
「プロモーター」、「プロモーター活性を有する核酸」又は「プロモーター配列」は、本発明に従って、転写されるべき核酸に機能的に連結された場合に、前記核酸の転写を調節する核酸を意味すると理解される。
【０１９６】
本記載内容において、「機能的」又は「操作的」連結は、例えば、プロモーター活性を有する核酸の１つ及び転写されるべき核酸配列の１つ、及び任意にさらなる調節エレメント、例えばそれぞれの調節エレメントが核酸配列の転写時にその機能を果たすことができる方法で、核酸の転写を確実にする核酸配列、例えばターミネーターの連続配置を意味すると理解される。これは必ずしも化学的な意味での直接的な連結を必要としない。遺伝子制御配列、たとえばエンハンサー配列は、より離れた位置から、又は他のＤＮＡ分子からでも標的配列に対して機能を発揮できる。好ましい配置は、転写されるべき核酸配列がプロモーター配列の後ろに（すなわち、３’末端に）配置されて、２つの配列が共有結合で一緒に結合される配置である。プロモーター配列と組換えにより発現される核酸配列との距離は、２００塩基対未満、又は１００塩基対未満、又は５０塩基対未満であってよい。
【０１９７】
プロモーター及びターミネーターに加えて、以下が他の調節エレメントの例として挙げられてよい：標的配列、エンハンサー、ポリアデニル化シグナル、選択マーカー、増幅シグナル、複製起点等。適した調節配列は、例えば、Ｇｏｅｄｄｅｌ（Ｇｅｎｅ Ｅｘｐｒｅｓｓｉｏｎ Ｔｅｃｈｎｏｌｏｇｙ： Ｍｅｔｈｏｄｓ ｉｎ Ｅｎｚｙｍｏｌｏｇｙ １８５， Ａｃａｄｅｍｉｃ Ｐｒｅｓｓ， Ｓａｎ Ｄｉｅｇｏ， ＣＡ （１９９０））において記載されている。
【０１９８】
本発明による核酸構築物は、特に、例えば配列番号１、３、５、７、９、１１、１３、１５、１７、１９、２１、２３、２５、２７、２９、３１、３３、３５、３７、３９、４１、４３、４５、５６、５８、６０、６２、６４、６６、６８、７０、７２、７４又はそれらの逆相補体に由来するポリペプチドをコードする配列、又はそれらの誘導体及びホモログ、及びそれらに由来してよく、かつ遺伝子発現を有利に制御、例えば増加させるために、１つ以上の調節シグナルと操作的又は機能的に連結させた核酸配列を含む。
【０１９９】
これらの調節配列に加えて、これらの配列の自然調節が、実際の構造遺伝子の前にまだ存在していてよく、かつ任意に遺伝子改変されて、自然調節がオフになり、遺伝子の発現が強化される。しかしながら、核酸構築物は、より単純な構造、すなわち、コード配列の前に追加の調節シグナルが挿入されておらず、その調節を伴う天然のプロモーターが除去されていない構造であってもよい。代わりに、天然の調節配列が変異して、調節が起こらず、そして遺伝子発現が増加される。
【０２００】
好ましい核酸構築物は、有利には、プロモーターと機能的に連結した既に挙げた１つ以上の「エンハンサー」配列も含み、これらの配列は、核酸配列の発現の増強を可能にする。追加の有利な配列、例えばさらなる調節エレメント又はターミネーターを、ＤＮＡ配列の３’末端に挿入してもよい。本発明による核酸の１つ以上のコピーが構築物中に存在していてよい。構築物において、他のマーカー、例えば栄養要求性又は抗生物質耐性を補う遺伝子が、構築物を選択するために任意で存在してもよい。
【０２０１】
適した調節配列の例は、プロモーター、例えばｃｏｓ、ｔａｃ、ｔｒｐ、ｔｅｔ、ｔｒｐ−ｔｅｔ、ｌｐｐ、ｌａｃ、ｌｐｐ−ｌａｃ、ｌａｃＩq、Ｔ７、Ｔ５、Ｔ３、ｇａｌ、ｔｒｃ、ａｒａ、ｒｈａＰ（ｒｈａＰBAD）ＳＰ６、ラムダＰR又はラムダＰLのプロモーターに存在し、これらは有利にはグラム陰性菌で使用される。さらなる有利な調節配列は、例えば、グラム陽性プロモーターａｍｙ及びＳＰＯ２に、酵母又は真菌プロモーターＡＤＣ１、ＭＦａｌｐｈａ、ＡＣ、Ｐ−６０、ＣＹＣ１、ＧＡＰＤＨ、ＴＥＦ、ｒｐ２８、ＡＤＨに存在する。人工プロモーターも調節のために使用できる。
【０２０２】
宿主生物中での発現のために、核酸構築物は、ベクター、例えばプラスミド又はファージに有利に挿入され、これにより宿主での遺伝子の最適な発現を可能にする。ベクターは、プラスミド及びファージに加えて、当業者に公知である全ての他のベクター、すなわち例えばウイルス、例えばＳＶ４０、ＣＭＶ、バキュロウイルス及びアデノウイルス、トランスポゾン、ＩＳエレメント、ファスミド、コスミド及び線状又は環状ＤＮＡを意味するとも解される。これらのベクターを、宿主生物内又は染色体上で自動的に複製することができる。これらのベクターは、本発明のさらなる発展である。
【０２０３】
適したプラスミドは、例えば大腸菌のｐＬＧ３３８、ｐＡＣＹＣ１８４、ｐＢＲ３２２、ｐＵＣ１８、ｐＵＣ１９、ｐＫＣ３０、ｐＲｅｐ４、ｐＨＳ１、ｐＫＫ２２３−３、ｐＤＨＥ１９．２、ｐＨＳ２、ｐＰＬｃ２３６、ｐＭＢＬ２４、ｐＬＧ２００、ｐＵＲ２９０、ｐＩＮ−ＩＩＩ113−Ｂ１、λｇｔ１１もしくはｐＢｄＣＩ、ストレプトミセス属（Streptomyces）のｐＩＪ１０１、ｐＩＪ３６４、ｐＩＪ７０２もしくはｐＩＪ３６１、バチルス属（Bacillus）のｐＵＢ１１０、ｐＣ１９４もしくはｐＢＤ２１４、コリネバクテリウム属（Corynebacterium）のｐＳＡ７７もしくはｐＡＪ６６７、真菌のｐＡＬＳ１、ｐＩＬ２もしくはｐＢＢ１１６、酵母の２ａｌｐｈａＭ、ｐＡＧ−１、ＹＥｐ６、ＹＥｐ１３もしくはｐＥＭＢＬＹｅ２３、又は植物のｐＬＧＶ２３、ｐＧＨｌａｃ+、ｐＢＩＮ１９、ｐＡＫ２００４もしくはｐＤＨ５１である。前記プラスミドは、可能なプラスミドの小規模の選択肢である。さらなるプラスミドは、当業者に周知であり、かつ例えばクローニングベクターの本（Ｅｄｓ． Ｐｏｕｗｅｌｓ Ｐ． Ｈ． ら、Ｅｌｓｅｖｉｅｒ， Ａｍｓｔｅｒｄａｍ−Ｎｅｗ Ｙｏｒｋ−Ｏｘｆｏｒｄ， １９８５， ＩＳＢＮ ０ ４４４ ９０４０１８）において見出される。
【０２０４】
ベクターのさらなる開発において、本発明による核酸構築物又は本発明による核酸を含むベクターは、有利には線状ＤＮＡの形態で微生物に導入され、異種組換え又は相同組換えを介して宿主生物のゲノムに組み込まれてもよい。この線状ＤＮＡは、線状化されたベクター、例えばプラスミド、又は本発明による核酸構築物もしくは核酸のみからなってよい。
【０２０５】
生物における異種遺伝子の最適な発現のために、核酸配列を改変して、生物で使用される特定の「コドン使用」に一致させることが有利である。「コドン使用」は、問題の生物の他の公知の遺伝子のコンピューター評価により容易に決定されうる。
【０２０６】
本発明による発現カセットは、適したプロモーターを適したコードヌクレオチド配列及びターミネーター又はポリアデニル化シグナルに融合することによって生じる。通常の組換え及びクローニング技術がこの目的のために使用され、例えばＴ． Ｍａｎｉａｔｉｓ， Ｅ．Ｆ． Ｆｒｉｔｓｃｈ及びＪ． Ｓａｍｂｒｏｏｋ， Ｍｏｌｅｃｕｌａｒ Ｃｌｏｎｉｎｇ： Ａ Ｌａｂｏｒａｔｏｒｙ Ｍａｎｕａｌ， Ｃｏｌｄ Ｓｐｒｉｎｇ Ｈａｒｂｏｒ Ｌａｂｏｒａｔｏｒｙ， Ｃｏｌｄ Ｓｐｒｉｎｇ Ｈａｒｂｏｒ， ＮＹ （１９８９）において、並びにＴ．Ｊ． Ｓｉｌｈａｖｙ， Ｍ．Ｌ． Ｂｅｒｍａｎ及びＬ．Ｗ． Ｅｎｑｕｉｓｔ， Ｅｘｐｅｒｉｍｅｎｔｓ ｗｉｔｈ Ｇｅｎｅ Ｆｕｓｉｏｎｓ， Ｃｏｌｄ Ｓｐｒｉｎｇ Ｈａｒｂｏｒ Ｌａｂｏｒａｔｏｒｙ， Ｃｏｌｄ Ｓｐｒｉｎｇ Ｈａｒｂｏｒ， ＮＹ （１９８４）において、並びにＡｕｓｕｂｅｌ， Ｆ．Ｍ．ら、Ｃｕｒｒｅｎｔ Ｐｒｏｔｏｃｏｌｓ ｉｎ Ｍｏｌｅｃｕｌａｒ Ｂｉｏｌｏｇｙ， Ｇｒｅｅｎｅ Ｐｕｂｌｉｓｈｉｎｇ Ａｓｓｏｃ． ａｎｄ Ｗｉｌｅｙ Ｉｎｔｅｒｓｃｉｅｎｃｅ （１９８７）において記載されている。
【０２０７】
適した宿主生物での発現のために、組換え核酸構築物又は遺伝子構築物は、宿主における遺伝子の最適な発現を可能にする宿主特異的ベクターに有利に挿入される。ベクターは、当業者に周知であり、例えば「クローニングベクター」（Ｐｏｕｗｅｌｓ Ｐ． Ｈ． ら、Ｅｄ．， Ｅｌｓｅｖｉｅｒ， Ａｍｓｔｅｒｄａｍ−Ｎｅｗ Ｙｏｒｋ−Ｏｘｆｏｒｄ， １９８５）において見出される。
【０２０８】
相互参照される文書の内容は、参照をもって組み込まれたものとする。
【０２０９】
本明細書において同定及び／又は使用される核酸及びアミノ酸の配列を以下に挙げる：
【化４】
2021504673.tif 000008
【化５】
2021504673.tif 000009
【化６】
2021504673.tif 000010
【化７】
2021504673.tif 000011
【化８】
2021504673.tif 000012
【化９】
2021504673.tif 000013
【化１０】
2021504673.tif 000014
【化１１】
2021504673.tif 000015
【化１２】
2021504673.tif 000016
【化１３】
2021504673.tif 000017
【化１４】
2021504673.tif 000018
【化１５】
2021504673.tif 000019
【化１６】
2021504673.tif 000020
【化１７】
2021504673.tif 000021
【化１８】
2021504673.tif 000022
【化１９】
2021504673.tif 000023
【化２０】
2021504673.tif 000024
【化２１】
2021504673.tif 000025
【化２２】
2021504673.tif 000026
【化２３】
2021504673.tif 000027
【化２４】
2021504673.tif 000028
【０２１０】
次の実施例は、例示のみであり、要約、明細書又は特許請求の範囲において挙げられる発明の範囲を制限することを意図しない。
【０２１１】
本明細書において提供される開示を考慮した後、当業者には直ちに明らかになる多数の可能な変更も本発明の範囲内に入る。
【０２１２】
使用される全ての材料及び微生物又は細胞は市販の製品である。
【０２１３】
特に明記されない限り、組換えタンパク質を、標準の方法、例えばＳａｍｂｒｏｏｋ， Ｊ．， Ｆｒｉｔｓｃｈ， Ｅ．Ｆ．及びＭａｎｉａｔｉｓ， Ｔ．， Ｍｏｌｅｃｕｌａｒ ｃｌｏｎｉｎｇ： Ａ Ｌａｂｏｒａｔｏｒｙ Ｍａｎｕａｌ， ２nd Ｅｄｉｔｉｏｎ， Ｃｏｌｄ Ｓｐｒｉｎｇ Ｈａｒｂｏｒ Ｌａｂｏｒａｔｏｒｙ， Ｃｏｌｄ Ｓｐｒｉｎｇ Ｈａｒｂｏｒ Ｌａｂｏｒａｔｏｒｙ Ｐｒｅｓｓ， Ｃｏｌｄ Ｓｐｒｉｎｇ Ｈａｒｂｏｒ， ＮＹ， １９８９において記載される方法により、クローニング及び発現させる。
【０２１４】
実施例
実施例１：ゲオノール、ＤＭＴＳ、１−オクテン−３−オール、酪酸、３−メチル−２−ヘキセン酸、３−ヒドロキシ−３−メチル−ヘキサン酸及びトランスピロールによって活性化されたマウス及びヒトの匂い物質受容体の同定及び機能的特徴付け
新たな匂い物質受容体の同定を、国際公開番号第２０１４／２１０５８５号において開示された方法に従って実施した。簡単に、マウスの嗅覚ニューロンを、次のＭＣＳ：ゲオノール、ＤＭＴＳ、１−オクテン−３−オール、酪酸、３−メチル−２−ヘキセン酸、３−ヒドロキシ−３−メチル−ヘキサン酸又はトランスピロールに曝し、そしてＣａ2+画像化技術を使用してスクリーニングした。ＤＭＴＳにより活性化させたニューロンを、全トランスクリプトーム解析のためにさらに単離して、感受性のある匂い物質受容体を同定した。単離した細胞ｍＲＮＡに対応するｃＤＮＡを生成し、そしてＰＣＲベースの方法（Ｃｌｏｎｔｅｃｈ／Ｔａｋａｒａ， ＳＭＡＲＴｅｒ（登録商標）Ｕｌｔｒａ（登録商標）Ｌｏｗ Ｉｎｐｕｔ ＲＮＡ Ｋｉｔ ｆｏｒ Ｓｅｑｕｅｎｃｉｎｇ − ｖ３， ｃａｔ． ６３４８４８）により増幅させた。そして増幅させたｃＤＮＡを使用して、次世代シーケンシングのためのＩｌｌｕｍｉｎａ ｃＤＮＡライブラリー及び１００塩基対の単一リード配列を生成した。配列を、マウス関連ゲノム（例えばＵＣＳＣバージョンｍｍ１０）に整列させて、完全なトランスクリプトームを生成した。単一の匂い物質受容体（ＯＲ）が嗅覚ニューロンにつき強く転写されたため、ＭＣＳ応答ＯＲの続く同定が達成できる。そして、配列類似性検索を使用した系統関係評価を使用して、対応するヒトＯＲを同定した。次のＯＲを同定した：Ｏｌｆｒ２６３、Ｏｌｆｒ９６、Ｏｌｆｒ１４８７、Ｏｌｆｒ３３９、Ｏｌｆｒ６４１、Ｏｌｆｒ１１２６、Ｏｌｆｒ４６、Ｏｌｆｒ１３２２、Ｏｌｆｒ９３、Ｏｌｆｒ３９８、Ｏｌｆｒ１２０、Ｏｌｆｒ１３６４及びＯｌｆｒ９３７。
【０２１５】
第二の方法において、４００個の推定機能的ヒト受容体レパートリーを含む匂い物質受容体のパネルを、ヒト嗅覚Ｇタンパク質アルファサブユニット（Ｇｏｌｆ−配列番号４９）を発現する国際公開番号第２０１４／２１０５８５号において記載された培養したヒトＨＥＫ２９３Ｔ細胞株にトランスフェクトし、ｃｙｃｌｉｃＡＭＰレポーターに結合させた。ｉｎ ｖｉｔｒｏでの匂い物質受容体の前記パネルをＭＣＳに曝し、ｃＡＭＰシグナルのレベルをそれぞれの受容体について測定した。続いて、基準線とは著しく異なるシグナルを示す受容体を、機能的用量反応実験で試験した。図１に関して、次のヒト匂い物質受容体を同定した：ＯＲ１１Ａ１、ＯＲ２Ｍ３、ＯＲ４Ｓ２、ＯＲ２Ｊ３、ＯＲ４Ｑ３、ＯＲ５１Ｅ１、ＯＲ２Ｗ１、ＯＲ１Ａ１、ＯＲ５Ｋ１、及びＯＲ５１Ｉ２。
【０２１６】
機能的用量反応実験を実施して、国際公開番号第２０１４／２１０５８５号において開示されたアッセイ及び方法に従って、ゲオノール、ＤＭＴＳ、１−オクテン−３−オール、酪酸、３−メチル−２−ヘキセン酸、３−ヒドロキシ−３−メチル−ヘキサン酸又はトランスピロールを使用して、個々の推定匂い物質受容体を発現する改質した細胞株のＭＣＳ誘発活性のレベルを評価した。
【０２１７】
実施例２：酪酸の嗅覚受容体の阻害剤の同定
ＯＲ５１Ｅ１嗅覚受容体を発現する細胞株を、アンタゴニストスクリーニングプラットフォームとして使用して、酪酸誘発受容体の活性を減少させる特性を有する化合物を同定した。その細胞株を、それらの阻害特性及び潜在的な酪酸の臭気阻害について揮発性化合物ライブラリーでスクリーニングした。最初に、酪酸とそれぞれの試験化合物との個々の二成分混合物を細胞に提示した。
【０２１８】
試験化合物の存在又は非存在下での酪酸誘発細胞活性の単一濃度のモニタリングは、推定の抑制効果又は阻害効果を有する化合物の同定を可能にした。これらのヒットを、さらに阻害用量反応アッセイでさらに確認して、基線アゴニスト活性に規準化させた阻害率（％）を評価した。
【０２１９】
受容体活性の用量依存減少を、酪酸（ＥＣ87）の単一の活性濃度の存在下で試験化合物の増加濃度を記録し、かつ対応する用量反応阻害曲線を得た。試験した化合物について最大の阻害率（％）の要約を図２において示す。
【０２２０】
アッセイ系を設計して、高い選択性のアンタゴニストを選択し、そのデータを、高濃度の酪酸（ＥＣ８７）を使用して得た。これらのデータは、式（Ｉ）の化合物が酪酸の嗅覚受容体アンタゴニストであることを証明する。しかしながら、いくつかの化合物は、酪酸の嗅覚受容体の阻害の相対的な大きさによって示唆されるように、他よりも優れて作用した。
【０２２１】
実施例３：ゲオノールの嗅覚受容体の阻害剤の同定
細胞ベースのスクリーニング：ＯＲ１１Ａ１又はＯＲ２Ｍ３の嗅覚受容体を発現する細胞株を、アンタゴニストスクリーニングプラットフォームとして使用して、ゲオノール誘発受容体の活性を減少させる特性を有する化合物を同定した。それぞれの細胞株を、それらの阻害特性及び潜在的なゲオノールの臭気阻害について揮発性化合物ライブラリーでスクリーニングした。最初に、ゲオノールとそれぞれの試験化合物との個々の二成分混合物を細胞に提示した。
【０２２２】
試験化合物の存在又は非存在下でのゲオノール誘発細胞活性の単点モニタリングは、推定の抑制効果又は阻害効果を有する化合物の同定を可能にした。これらのヒットを、阻害用量反応曲線アッセイでさらに確認して、ＩＣ50の測定値（受容体活性が所与の試験化合物の半分の最大阻害効果のレベルにより阻害される阻害剤濃度）として活性阻害のポテンシーを評価した。
【０２２３】
受容体活性の用量依存減少を、ゲオノール（ＥＣ80）の単一の活性濃度の存在下で試験化合物の増加濃度を記録し、かつ対応する用量反応阻害曲線を得た。表２において挙げた化合物は、少なくとも１つの嗅覚受容体のゲオノール誘発活性を減少した化合物の例である。
【０２２４】
感覚評価：ＲＥＦ（ゲオノールのみ）、ゲオノールのみの制御、アンタゴニストのみ、ゲオノールと等強度アンタゴニストとの混合物、又はゲオノールと低濃度アンタゴニストとの混合物を含む５つの１６ｏｚのガラス瓶をパネリストに提示した（最後の４つの試料をパネリスト全体で無作為にした）。パネリストに、最初にＲＥＦジャーからの土／苔の匂いの品質に慣らし、そして４つの試料の心地よさ、土／苔の匂い強度、及び全体的な匂い強度を０〜１０の線形スケールで評価するように求めた。試料間の刺激の間隔は、順応を避けるために２分であった。結果を図４に載せ、その際該図は、ゲオノールとＲＥＦ試料に対する２５種類の異なるアンタゴニストとの二成分の等強度混合物中に残っているゲオノール悪臭（土／苔の匂い）の割合を示す。
【０２２５】
９５％の信頼レベルでのＤｕｎｃａｎ平均比較での一元配置の分散分析（ＡＮＯＶＡ）を実施して、ゲオノールのみの試料、アンタゴニストのみの試料、及び２つの異なる比率でのゲオノール基準／アンタゴニストの混合物の平均の土／苔の匂い強度を比較した。細胞ベースのスクリーニング及び感覚評価の結果を表２及び図４において示す。
【０２２６】
*は、等強度混合物とアンタゴニストとの間に土／苔の匂い強度の有意な差が見出されず、かつ９５％の信頼レベルでゲオノールのみの試料よりも著しく低かったことを意味する。
【０２２７】
*は、土／苔の匂い強度が等強度混合物中でアンタゴニストのみの試料中よりも著しく高く、かつ９５％の信頼レベルでゲオノールのみの試料よりも著しく低かったことを意味する。
【０２２８】
ＮＳは、等強度混合物とアンタゴニストとの間に土／苔の匂い強度の有意な差が見出されず、かつ９５％の信頼レベルで等強度混合物とゲオノールのみの試料との間に著しい差が見出されなかったことを意味する。
【０２２９】
ＮＳは、土／苔の匂い強度が等強度混合物中でアンタゴニストのみの試料中よりも著しく高く、かつ９５％の信頼レベルで等強度混合物とゲオノールのみの試料との間に著しい差が見出されなかったことを意味する。
【０２３０】
【表２−１】
2021504673.tif 000029
【表２−２】
2021504673.tif 000030
【表２−３】
2021504673.tif 000031
【０２３１】
実施例４：１−オクテン−３−オールの嗅覚受容体の阻害剤の同定
ＯＲ２Ｗ１又はＯＲ１Ａ１の嗅覚受容体を発現する細胞株を、アンタゴニストスクリーニングプラットフォームとして使用して、１−オクテン−３−オール誘発受容体の活性を減少させる特性を有する化合物を同定した。それぞれの細胞株を、それらの阻害特性及び潜在的な１−オクテン−３−オールの臭気阻害について揮発性化合物ライブラリーでスクリーニングした。最初に、１−オクテン−３−オールとそれぞれの試験化合物との個々の二成分混合物を細胞に提示した。
【０２３２】
試験化合物の存在又は非存在下での１−オクテン−３−オール誘発細胞活性の単一濃度のモニタリングは、推定の抑制効果又は阻害効果を有する化合物の同定を可能にした。これらのヒットを、阻害用量反応アッセイでさらに確認して、ＩＣ50の測定値（受容体活性が所与の試験化合物の半分の最大阻害効果のレベルにより阻害される阻害剤濃度）及び従って阻害率（％）（基線アゴニスト活性に規準化させた）として活性阻害のポテンシー（potency）及びエフィカシー（efficacy）を評価した。
【０２３３】
受容体活性の用量依存減少を、１−オクテン−３−オール（ＥＣ80）の単一の活性濃度の存在下で試験化合物の増加濃度を記録し、かつ対応する用量反応阻害曲線を得た。表３において挙げた化合物は、少なくとも１つの受容体の１−オクテン−３−オール誘発活性を減少した化合物の例である。
【０２３４】
【表３−１】
2021504673.tif 000032
【表３−２】
2021504673.tif 000033
【０２３５】
実施例５：酪酸の匂い物質受容体の阻害剤の同定
ＯＲ５１Ｅ１嗅覚受容体を発現する細胞株を、アンタゴニストスクリーニングプラットフォームとして使用して、酪酸誘発受容体の活性を減少させる特性を有する化合物を同定した。その安定な細胞株を、それらの阻害特性及び潜在的な酪酸の臭気阻害について揮発性化合物ライブラリーでスクリーニングした。最初に、酪酸とそれぞれの試験化合物との個々の二成分混合物を細胞に提示した。
【０２３６】
試験化合物の存在又は非存在下での酪酸誘発細胞活性の単一濃度のモニタリングは、推定の抑制効果又は阻害効果を有する化合物の同定を可能にした。これらのヒットを、阻害用量反応アッセイでさらに確認して、ＩＣ50の測定値（受容体活性が所与の試験化合物の半分の最大阻害効果のレベルにより阻害される阻害剤濃度）として活性阻害のポテンシーを評価した。
【０２３７】
受容体活性の用量依存減少を、酪酸（ＥＣ94）の単一の活性濃度の存在下で試験化合物の増加濃度を記録し、かつ対応する用量反応阻害曲線を得た。表４において挙げた化合物は、少なくとも１つの受容体の酪酸誘発活性を減少した化合物の例である。
【０２３８】
【表４−１】
2021504673.tif 000034
【表４−２】
2021504673.tif 000035
【表４−３】
2021504673.tif 000036
【０２３９】
【表５】
2021504673.tif 000037
【０２４０】
実施例６：ＤＭＴＳの嗅覚受容体の阻害剤の同定
ＯＲ５２Ｎ５、ＯＲ２Ｌ１３、ＯＲ２ＡＪ１、ＯＲ４Ｃ１５、ＯＲ５ＡＣ２、ＯＲ８Ｈ３、ＯＲ１１Ｇ２、ＯＲ５２Ｎ２、又はＯＲ５Ｔ１の匂い物質受容体を発現する細胞株を、アンタゴニストスクリーニングプラットフォームとして使用して、国際公開番号第２０１４／２１０５８５号において開示されたアッセイ及び方法に従って、ＤＭＴＳ誘発受容体の活性を減少させる特性を有する化合物を同定した。ヒト匂い物質受容体を発現するそれぞれの細胞株を、それらの阻害特性及び潜在的なＤＭＴＳの臭気阻害について揮発性化合物ライブラリーでスクリーニングした。最初に、ＤＭＴＳとそれぞれの試験化合物との個々の二成分混合物を細胞に提示した。試験化合物の存在又は非存在下でのＤＭＴＳ誘発細胞活性の単点モニタリングは、推定の抑制効果又は阻害効果を有する化合物の同定を可能にした。これらのヒットを、阻害用量反応曲線アッセイでさらに確認して、ＩＣ50の測定値（受容体活性が所与の試験化合物の半分の最大阻害効果のレベルにより阻害される阻害剤濃度）として活性阻害のポテンシーを評価した。受容体活性の用量依存減少を、ＤＭＴＳ（ＥＣ80）の単一の活性濃度の存在下で試験化合物の増加濃度を記録し、かつ対応する用量反応阻害曲線を得た。表５において挙げた化合物は、少なくとも１つの受容体のＤＭＴＳ誘発活性を減少した化合物の例である。
【０２４１】
【表６】
2021504673.tif 000038
【図１】
2021504673.tif 000039
【図２】
2021504673.tif 000040
【図３】
2021504673.tif 000041
【図４】
2021504673.tif 000042
【図５】
2021504673.tif 000043
【図６】
2021504673.tif 000044
【図７】
2021504673.tif 000045
【図８】
2021504673.tif 000046
【図９】
2021504673.tif 000047
【図１０】
2021504673.tif 000048
【図１１】
2021504673.tif 000049
【図１２】
2021504673.tif 000050
【図１３】
2021504673.tif 000051
【図１４】
2021504673.tif 000052
【図１５】
2021504673.tif 000053
【図１６】
2021504673.tif 000054
【配列表】
2021504673000001.app
【国際調査報告】
2021504673.tif 000055
2021504673.tif 000056
2021504673.tif 000057
2021504673.tif 000058